(57)【特許請求の範囲】
【請求項１】
データ処理方法であって、
端末によって、データスイッチのステータスを決定するステップであって、前記ステータスは、無効化された状態または有効化された状態を含む、該ステップと、
前記端末によって、前記データスイッチが前記無効化された状態にあるとき、アタッチ要求において搬送される暗号化オプション伝送識別子を第１のプリセット値に設定するステップであって、前記第１のプリセット値に設定された前記暗号化オプション伝送識別子は、前記データスイッチが前記無効化された状態にあることを示すために使用される、ステップと、前記データスイッチが前記有効化された状態にあるとき、前記暗号化オプション伝送識別子を第２のプリセット値に設定するステップであって、前記第２のプリセット値に設定された前記暗号化オプション伝送識別子は、前記データスイッチが前記有効化された状態にあることを示すために使用される、該ステップと、
前記端末によって、前記アタッチ要求をモビリティ管理エンティティＭＭＥに送信するステップと、
前記端末によって、前記ＭＭＥによって送信された暗号化オプション要求を受信するステップであって、前記暗号化オプション伝送識別子が前記第１のプリセット値であることを前記ＭＭＥが検出したとき、前記暗号化オプション要求が前記端末に送信され、および前記暗号化オプション要求は、アタッチ手順においてベアラを確立するために要求されるインターネットプロトコルＩＰマルチメディアサブシステムＩＭＳアクセスポイント名ＡＰＮを、前記端末から取得するために使用される、該ステップと、
前記端末によって、前記ＩＭＳ  ＡＰＮを前記ＭＭＥに送信するステップと
を備えたことを特徴とするデータ処理方法。
【請求項２】
前記端末が国際ローミング状態にあるとき、前記データスイッチは、データトラフィックスイッチおよび国際ローミングスイッチを含み、
端末によって、データスイッチのステータスを決定する前記ステップは、
前記端末によって、前記データトラフィックスイッチのステータスまたは前記国際ローミングスイッチのステータスのうちの少なくとも１つを決定するステップを含み、
前記端末によって、前記データスイッチが前記無効化された状態にあるとき、アタッチ要求において搬送される暗号化オプション伝送識別子を第１のプリセット値に設定する前記ステップは、
前記データトラフィックスイッチが前記無効化された状態にあるとき、または前記国際ローミングスイッチが前記無効化された状態にあるとき、前記端末によって、前記アタッチ要求において搬送される前記暗号化オプション伝送識別子を前記第１のプリセット値に設定するステップを含み、
前記データスイッチが前記有効化された状態にあるとき、前記暗号化オプション伝送識別子を第２のプリセット値に設定する前記ステップは、
前記データトラフィックスイッチが前記有効化された状態にあるとき、および前記国際ローミングスイッチが前記有効化された状態にあるとき、前記暗号化オプション伝送識別子を前記第２のプリセット値に設定するステップを含むことを特徴とする請求項１に記載のデータ処理方法。
【請求項３】
データ処理方法であって、
モビリティ管理エンティティＭＭＥによって、端末によって送信されたアタッチ要求を受信するステップであって、前記アタッチ要求は、暗号化オプション伝送識別子を搬送する、該ステップと、
前記ＭＭＥによって、前記暗号化オプション伝送識別子の値に従って、前記端末のデータスイッチが無効化された状態にあることを決定するステップと、
前記ＭＭＥによって、暗号化オプション要求を前記端末に送信するステップであって、前記暗号化オプション要求は、アタッチ手順においてベアラを確立するために要求されるインターネットプロトコルＩＰマルチメディアサブシステムＩＭＳアクセスポイント名ＡＰＮを、前記端末から取得するために使用される、ステップと、
前記ＭＭＥによって、前記端末によって送信された前記ＩＭＳ  ＡＰＮを受信するステップと、
前記ＭＭＥによって、前記ＩＭＳ  ＡＰＮに従って音声ベアラを確立するステップと
を備えたことを特徴とするデータ処理方法。
【請求項４】
データ処理装置であって、
データスイッチのステータスを決定することであって、前記ステータスは、無効化された状態または有効化された状態を含む、該決定することと、前記データスイッチが前記無効化された状態にあるとき、アタッチ要求において搬送される暗号化オプション伝送識別子を第１のプリセット値に設定することであって、前記第１のプリセット値に設定された前記暗号化オプション伝送識別子は、前記データスイッチが前記無効化された状態にあることを示すために使用される、該設定することと、前記データスイッチが前記有効化された状態にあるとき、前記暗号化オプション伝送識別子を第２のプリセット値に設定することであって、前記第２のプリセット値に設定された前記暗号化オプション伝送識別子は、前記データスイッチが前記有効化された状態にあることを示すために使用される、該設定することと、を行うように構成された処理ユニットと、
前記アタッチ要求をモビリティ管理エンティティＭＭＥに送信することと、前記ＭＭＥによって送信された暗号化オプション要求を受信することであって、前記暗号化オプション伝送識別子が前記第１のプリセット値であることを前記ＭＭＥが検出したとき、前記暗号化オプション要求が前記端末に送信され、前記暗号化オプション要求は、アタッチ手順においてベアラを確立するために要求されるインターネットプロトコルＩＰマルチメディアサブシステムＩＭＳアクセスポイント名ＡＰＮを、前記端末から取得するために使用される、該受信することと、前記ＩＭＳ  ＡＰＮを前記ＭＭＥに送信することと、を行うように構成されたトランシーバユニットと
を備えたことを特徴とするデータ処理装置。
【請求項５】
前記端末が国際ローミング状態にあるとき、前記データスイッチは、データトラフィックスイッチおよび国際ローミングスイッチを含み、前記処理ユニットは、前記データトラフィックスイッチのステータスまたは前記国際ローミングスイッチのステータスのうちの少なくとも１つを決定し、前記データトラフィックスイッチが前記無効化された状態にあるとき、または前記国際ローミングスイッチが前記無効化された状態にあるとき、前記アタッチ要求において搬送される前記暗号化オプション伝送識別子を前記第１のプリセット値に設定し、前記データトラフィックスイッチが前記有効化された状態にあるとき、および前記国際ローミングスイッチが前記有効化された状態にあるとき、前記暗号化オプション伝送識別子を前記第２のプリセット値に設定するようにさらに構成されたことを特徴とする請求項４に記載のデータ処理装置。
【請求項６】
データ処理装置であって、
端末によって送信されたアタッチ要求を受信することであって、前記アタッチ要求は、暗号化オプション伝送識別子を搬送し、アタッチ手順を実行するように前記ＭＭＥをトリガーするために使用され、前記端末のデータスイッチが無効化された状態にあるとき、前記暗号化オプション伝送識別子は第１のプリセット値であり、および前記端末の前記データスイッチが有効化された状態にあるとき、前記暗号化オプション伝送識別子は第２のプリセット値である、該受信することと、前記暗号化オプション伝送識別子が前記第１のプリセット値であることを前記ＭＭＥが検出したとき、暗号化オプション要求を前記端末に送信することであって、前記暗号化オプション要求は、前記アタッチ手順においてベアラを確立するために要求されるインターネットプロトコルＩＰマルチメディアサブシステムＩＭＳアクセスポイント名ＡＰＮを、前記端末から取得するために使用される、該送信することと、前記端末によって送信された前記ＩＭＳ  ＡＰＮを受信することと、を行うように構成されたトランシーバユニットと、
前記ＩＭＳ  ＡＰＮに従って音声ベアラを確立するように構成された処理ユニットと
を備えたことを特徴とするデータ処理装置。
【請求項７】
前記トランシーバユニットは、前記端末によって送信されたＰＤＮ接続要求を受信するようにさらに構成され、前記ＰＤＮ接続要求は、データタイプＡＰＮを搬送し、
前記処理ユニットは、前記データタイプＡＰＮに従ってデータベアラを確立するようにさらに構成されたことを特徴とする請求項６に記載のデータ処理装置。
【請求項８】
データ処理端末であって、
データスイッチのステータスを決定することであって、前記ステータスは、無効化された状態または有効化された状態を含む、該決定することと、前記データスイッチが前記無効化された状態にあるとき、アタッチ要求において搬送される暗号化オプション伝送識別子を第１のプリセット値に設定することであって、前記第１のプリセット値に設定された前記暗号化オプション伝送識別子は、前記データスイッチが前記無効化された状態にあることを示すために使用される、該設定することと、前記データスイッチが前記有効化された状態にあるとき、前記暗号化オプション伝送識別子を第２のプリセット値に設定することであって、前記第２のプリセット値に設定された前記暗号化オプション伝送識別子は、前記データスイッチが前記有効化された状態にあることを示すために使用される、該設定することと、を行うように構成されたプロセッサと、
前記アタッチ要求をモビリティ管理エンティティＭＭＥに送信することと、前記ＭＭＥによって送信された暗号化オプション要求を受信することであって、前記暗号化オプション伝送識別子が前記第１のプリセット値であることを前記ＭＭＥが検出したとき、前記暗号化オプション要求が前記端末に送信され、前記暗号化オプション要求は、アタッチ手順においてベアラを確立するために要求されるインターネットプロトコルＩＰマルチメディアサブシステムＩＭＳアクセスポイント名ＡＰＮを、前記端末から取得するために使用される、該受信することと、前記ＭＭＥが前記ＩＭＳ  ＡＰＮに従って音声ベアラを確立するように、前記ＩＭＳ  ＡＰＮを前記ＭＭＥに送信することと、を行うように構成されたトランシーバと
を備えたことを特徴とするデータ処理端末。
【請求項９】
前記端末が国際ローミング状態にあるとき、前記データスイッチは、データトラフィックスイッチおよび国際ローミングスイッチを含み、前記プロセッサは、前記データトラフィックスイッチのステータスまたは前記国際ローミングスイッチのステータスのうちの少なくとも１つを決定し、前記データトラフィックスイッチが前記無効化された状態にあるとき、または前記国際ローミングスイッチが前記無効化された状態にあるとき、前記アタッチ要求において搬送される前記暗号化オプション伝送識別子を前記第１のプリセット値に設定し、前記データトラフィックスイッチが前記有効化された状態にあるとき、および前記国際ローミングスイッチが前記有効化された状態にあるとき、前記暗号化オプション伝送識別子を前記第２のプリセット値に設定するようにさらに構成されたことを特徴とする請求項８に記載のデータ処理端末。
【請求項１０】
前記端末が非国際ローミング状態にあるとき、前記データスイッチは、データトラフィックスイッチを含み、前記プロセッサは、前記データトラフィックスイッチのステータスを決定し、前記データトラフィックスイッチが前記無効化された状態にあるとき、前記アタッチ要求において搬送される前記暗号化オプション伝送識別子を前記第１のプリセット値に設定し、前記データトラフィックスイッチが前記有効化された状態にあるとき、前記暗号化オプション伝送識別子を前記第２のプリセット値に設定するようにさらに構成されたことを特徴とする請求項８に記載のデータ処理端末。
【請求項１１】
前記トランシーバは、ＰＤＮ接続要求を前記ＭＭＥに送信するようにさらに構成され、前記ＰＤＮ接続要求は、前記ＭＭＥが前記データタイプＡＰＮに従ってデータベアラを確立するように、データタイプＡＰＮを搬送することを特徴とする請求項８ないし１０のいずれか１つに記載のデータ処理端末。
【請求項１２】
データ処理モビリティ管理エンティティであって、
端末によって送信されたアタッチ要求を受信することであって、前記アタッチ要求は、暗号化オプション伝送識別子を搬送し、前記端末のデータスイッチが無効化された状態にあるとき、前記暗号化オプション伝送識別子は第１のプリセット値であり、前記端末の前記データスイッチが有効化された状態にあるとき、前記暗号化オプション伝送識別子は第２のプリセット値である、該受信することと、前記暗号化オプション伝送識別子が前記第１のプリセット値であることを前記ＭＭＥが検出したとき、暗号化オプション要求を前記端末に送信することであって、前記暗号化オプション要求は、アタッチ手順においてベアラを確立するために要求されるインターネットプロトコルＩＰマルチメディアサブシステムＩＭＳアクセスポイント名ＡＰＮを、前記端末から取得するために使用される、該送信することと、前記端末によって送信された前記ＩＭＳ  ＡＰＮを受信することと、を行うように構成されたトランシーバと、
前記ＩＭＳ  ＡＰＮに従って音声ベアラを確立するように構成されたプロセッサと
を備えたことを特徴とするデータ処理モビリティ管理エンティティ。
【請求項１３】
前記トランシーバは、前記端末によって送信されたＰＤＮ接続要求を受信するようにさらに構成され、前記ＰＤＮ接続要求は、データタイプＡＰＮを搬送し、
前記プロセッサは、前記データタイプＡＰＮに従ってデータベアラを確立するようにさらに構成されたことを特徴とする請求項１２に記載のデータ処理モビリティ管理エンティティ。
【発明の詳細な説明】
【技術分野】
【０００１】
本発明は、通信技術の分野に関し、特に、データ処理方法、装置、端末、モビリティ管理エンティティ、およびシステムに関する。
【背景技術】
【０００２】
ＬＴＥ（ロングタームエボリューション）ネットワークにおいて、端末を使用してユーザによって使用されるデータサービスが増えている。時には、ユーザが端末とネットワークの間のデータ伝送を制御するのを望むことがある。端末とネットワークの間のデータ伝送をユーザが制御できる要件を満たすために、データスイッチが多くの端末上に構成される。ＬＴＥネットワークにおいて、データトラフィックスイッチが無効化された後、または国際ローミングケースにおいてデータトラフィックスイッチもしくは国際ローミングデータスイッチが無効化された後、端末はネットワークにデータを送信することができない。
【０００３】
従来技術は、少なくとも以下の問題を有する。データトラフィックスイッチまたはローミングデータスイッチが無効化された後、端末は、ネットワークに端末がデータをもはや送信しないように制御する。しかしながら、ネットワークデバイスは、ダウンリンクデータパケットを端末に配信し続け、端末はデータパケットを受信することができる。結果として、端末は、受信される必要のないデータパケットを受信し、対応する料金が算入され、それにより、データ伝送リソースを浪費するだけでなく、ユーザに経済的損失をもたらすことになる。
【発明の概要】
【発明が解決しようとする課題】
【０００４】
本発明では、改善された、データ処理方法、装置、端末、モビリティ管理エンティティ、およびシステムを提供することにある。
【課題を解決するための手段】
【０００５】
本発明の実施形態は、データ伝送リソースを削減し、ユーザに経済的損失をもたらすのを回避するように、データ処理方法、装置、端末、モビリティ管理エンティティ、およびシステムを提供する。
【０００６】
上記の目的を達成するために、本発明の実施形態において以下の技術的解決策が使用される。
【０００７】
第１の態様によれば、本発明の実施形態は、データ処理方法であって、
端末によって、データスイッチのステータスを検出するステップであって、ステータスは、無効化された状態または有効化された状態を含む、ステップと、
データスイッチのステータスが有効化された状態から無効化された状態に変更された後、端末によって、公衆データネットワークＰＤＮ切断要求をモビリティ管理エンティティＭＭＥに送信するステップであって、ＰＤＮ切断要求は、データ領域アクセスポイント名ＡＰＮに対応するデータベアラに関する情報を搬送し、ＰＤＮ切断要求は、ＡＰＮに対応するデータベアラを削除するようにＭＭＥをトリガーするために使用される、ステップと
を含むデータ処理方法を提供する。
【０００８】
第１の態様を参照すると、第１の態様の第１の可能な実装手法において、公衆データネットワークＰＤＮ切断要求をモビリティ管理エンティティＭＭＥに送信するステップの後、上記方法は、
データスイッチのステータスが無効化された状態から有効化された状態に変更された後、ＰＤＮ接続要求をＭＭＥに送信するステップであって、ＰＤＮ接続要求は、データタイプ（ｔｙｐｅ）ＡＰＮを搬送して、ＭＭＥがデータタイプＡＰＮに従ってデータベアラを確立するようにする、ステップをさらに含む。
【０００９】
第１の態様、または第１の態様の第１の可能な実装手法を参照すると、第１の態様の第２の可能な実装手法において、端末が国際ローミング状態にあるとき、データスイッチは、データトラフィックスイッチおよび国際ローミングスイッチを含み、
端末によって、データスイッチのステータスを検出するステップは、
データトラフィックスイッチのステータスまたは国際ローミングスイッチのステータスのうちの少なくとも１つを検出するステップを含み、
データスイッチのステータスが有効化された状態から無効化された状態に変更された後、端末によって、公衆データネットワークＰＤＮ切断要求をモビリティ管理エンティティＭＭＥに送信するステップは、
データトラフィックスイッチのステータスが有効化された状態から無効化された状態に変更された後、または国際ローミングスイッチのステータスが有効化された状態から無効化された状態に変更された後、端末によって、公衆データネットワークＰＤＮ切断要求をモビリティ管理エンティティＭＭＥに送信するステップを含む。
【００１０】
第１の態様の第１の可能な実装手法を参照すると、第１の態様の第３の可能な実装手法において、端末が国際ローミング状態にあるとき、データスイッチは、データトラフィックスイッチおよび国際ローミングスイッチを含み、
端末によって、データスイッチのステータスを検出するステップは、
データトラフィックスイッチのステータスまたは国際ローミングスイッチのステータスのうちの少なくとも１つを検出するステップを含み、
データスイッチのステータスが無効化された状態から有効化された状態に変更された後、ＰＤＮ接続要求をＭＭＥに送信するステップは、
データトラフィックスイッチのステータスが無効化された状態から有効化された状態に変更された後、および国際ローミングスイッチのステータスが無効化された状態から有効化された状態に変更された後、ＰＤＮ接続要求をＭＭＥに送信するステップを含む。
【００１１】
第１の態様、または第１の態様の第１の可能な実装手法を参照すると、第１の態様の第４の可能な実装手法において、端末が非国際ローミング状態にあるとき、データスイッチは、データトラフィックスイッチを含み、
端末によって、データスイッチのステータスを検出するステップは、
データトラフィックスイッチのステータスを検出するステップを含み、
データスイッチのステータスが有効化された状態から無効化された状態に変更された後、端末によって、公衆データネットワークＰＤＮ切断要求をモビリティ管理エンティティＭＭＥに送信するステップは、
データトラフィックスイッチのステータスが有効化された状態から無効化された状態に変更された後、端末によって、公衆データネットワークＰＤＮ切断要求をモビリティ管理エンティティＭＭＥに送信するステップを含む。
【００１２】
第１の態様の第１の可能な実装手法を参照すると、第１の態様の第５の可能な実装手法において、端末が非国際ローミング状態にあるとき、データスイッチは、データトラフィックスイッチを含み、
端末によって、データスイッチのステータスを検出するステップは、
データトラフィックスイッチのステータスを検出するステップを含み、
データスイッチのステータスが無効化された状態から有効化された状態に変更された後、ＰＤＮ接続要求をＭＭＥに送信するステップは、
データトラフィックスイッチのステータスが無効化された状態から有効化された状態に変更された後、ＰＤＮ接続要求をＭＭＥに送信するステップを含む。
【００１３】
第２の態様によれば、本発明の実施形態は、データ処理方法であって、
モビリティ管理エンティティＭＭＥによって、端末により送信された公衆データネットワークＰＤＮ切断要求を受信するステップであって、ＰＤＮ切断要求は、データ領域アクセスポイント名ＡＰＮに対応するデータベアラに関する情報を搬送する、ステップと、
ＰＤＮ切断要求に従って、ＡＰＮに対応するデータベアラを削除するステップと
を含むデータ処理方法を提供する。
【００１４】
第２の態様を参照すると、第２の態様の第１の可能な実装手法において、上記方法は、
端末により送信されたＰＤＮ接続要求を受信するステップであって、ＰＤＮ接続要求は、データタイプＡＰＮを搬送する、ステップと、
データタイプＡＰＮに従ってデータベアラを確立するステップと
をさらに含む。
【００１５】
第３の態様によれば、本発明の実施形態は、データ処理方法であって、
データスイッチのステータスを決定するステップであって、ステータスは、無効化された状態または有効化された状態を含む、ステップと、
データスイッチが無効化された状態にあるとき、アタッチ要求において搬送される暗号化オプション伝送識別子を第１のプリセット値に設定するステップであって、第１のプリセット値に設定された暗号化オプション伝送識別子は、データスイッチが無効化された状態にあることを示すために使用される、ステップと、データスイッチが有効化された状態にあるとき、暗号化オプション伝送識別子を第２のプリセット値に設定するステップであって、第２のプリセット値に設定された暗号化オプション伝送識別子は、データスイッチが有効化された状態にあることを示すために使用される、ステップと、
アタッチ要求をモビリティ管理エンティティＭＭＥに送信するステップと、
ＭＭＥにより送信された暗号化オプション要求を受信するステップであって、暗号化オプション伝送識別子が第１のプリセット値であることをＭＭＥが検出したとき、暗号化オプション要求が端末に送信され、暗号化オプション要求は、アタッチ手順においてベアラを確立するために必要とされるインターネットプロトコルＩＰマルチメディアサブシステムＩＭＳアクセスポイント名ＡＰＮを、端末から取得するために使用される、ステップと、
ＩＭＳ  ＡＰＮをＭＭＥに送信して、ＭＭＥがＩＭＳ  ＡＰＮに従って音声ベアラを確立するようにするステップと
を含むデータ処理方法を提供する。
【００１６】
第３の態様を参照すると、第３の態様の第１の可能な実装手法において、端末が国際ローミング状態にあるとき、データスイッチは、データトラフィックスイッチおよび国際ローミングスイッチを含み、
データスイッチのステータスを決定するステップは、
データトラフィックスイッチのステータスまたは国際ローミングスイッチのステータスのうちの少なくとも１つを決定するステップを含み、
データスイッチが無効化された状態にあるとき、アタッチ要求において搬送される暗号化オプション伝送識別子を第１のプリセット値に設定するステップは、
データトラフィックスイッチが無効化された状態にあるとき、または国際ローミングスイッチが無効化された状態にあるとき、アタッチ要求において搬送される暗号化オプション伝送識別子を第１のプリセット値に設定するステップを含み、
データスイッチが有効化された状態にあるとき、暗号化オプション伝送識別子を第２のプリセット値に設定するステップは、
データトラフィックスイッチが有効化された状態にあるとき、および国際ローミングスイッチが有効化された状態にあるとき、暗号化オプション伝送識別子を第２のプリセット値に設定するステップを含む。
【００１７】
第３の態様の第１の可能な実装手法を参照すると、第３の態様の第２の可能な実装手法において、端末が非国際ローミング状態にあるとき、データスイッチは、データトラフィックスイッチを含み、
データスイッチのステータスを決定するステップは、
データトラフィックスイッチのステータスを決定するステップを含み、
データスイッチが無効化された状態にあるとき、アタッチ要求において搬送される暗号化オプション伝送識別子を第１のプリセット値に設定するステップは、
データトラフィックスイッチが無効化された状態にあるとき、アタッチ要求において搬送される暗号化オプション伝送識別子を第１のプリセット値に設定するステップを含み、
データスイッチが有効化された状態にあるとき、暗号化オプション伝送識別子を第２のプリセット値に設定するステップは、
データトラフィックスイッチが有効化された状態にあるとき、暗号化オプション伝送識別子を第２のプリセット値に設定するステップを含む。
【００１８】
第３の態様、または第３の態様の可能な実装手法のいずれか１つを参照すると、第３の態様の第３の可能な実装手法において、上記方法は、
ＰＤＮ接続要求をＭＭＥに送信するステップであって、ＰＤＮ接続要求は、データタイプＡＰＮを搬送して、ＭＭＥがデータタイプＡＰＮに従ってデータベアラを確立するようにする、ステップをさらに含む。
【００１９】
第４の態様によれば、本発明の実施形態は、データ処理方法であって、
モビリティ管理エンティティＭＭＥによって、端末により送信されたアタッチ要求を受信するステップであって、アタッチ要求は、暗号化オプション伝送識別子を搬送し、端末のデータスイッチが無効化された状態にあるとき、暗号化オプション伝送識別子は第１のプリセット値であり、端末のデータスイッチが有効化された状態にあるとき、暗号化オプション伝送識別子は第２のプリセット値である、ステップと、
暗号化オプション伝送識別子が第１のプリセット値であることを検出したとき、ＭＭＥによって、暗号化オプション要求を端末に送信するステップであって、暗号化オプション要求は、アタッチ手順においてベアラを確立するために必要とされるインターネットプロトコルＩＰマルチメディアサブシステムＩＭＳアクセスポイント名ＡＰＮを、端末から取得するために使用される、ステップと、
端末により送信されたＩＭＳ  ＡＰＮを受信するステップと、
ＩＭＳ  ＡＰＮに従って音声ベアラを確立するステップと
を含むデータ処理方法を提供する。
【００２０】
第４の態様を参照すると、第４の態様の第１の可能な実装手法において、上記方法は、
端末により送信されたＰＤＮ接続要求を受信するステップであって、ＰＤＮ接続要求は、データタイプＡＰＮを搬送する、ステップと、
データタイプＡＰＮに従ってデータベアラを確立するステップと
をさらに含む。
【００２１】
第５の態様によれば、本発明の実施形態は、データ処理装置であって、
端末のデータスイッチのステータスを検出するように構成された処理ユニットであって、ステータスは、無効化された状態または有効化された状態を含む、処理ユニットと、
データスイッチのステータスが有効化された状態から無効化された状態に変更された後、公衆データネットワークＰＤＮ切断要求をモビリティ管理エンティティＭＭＥに送信するように構成されたトランシーバユニットであって、ＰＤＮ切断要求は、データ領域アクセスポイント名ＡＰＮに対応するデータベアラに関する情報を搬送し、ＰＤＮ切断要求は、ＡＰＮに対応するデータベアラを削除するようにＭＭＥをトリガーするために使用される、トランシーバユニットと
を含むデータ処理装置を提供する。
【００２２】
第５の態様を参照すると、第５の態様の第１の可能な実装手法において、トランシーバユニットは、データスイッチのステータスが無効化された状態から有効化された状態に変更された後、ＰＤＮ接続要求をＭＭＥに送信するようにさらに構成され、ＰＤＮ接続要求は、データタイプＡＰＮを搬送して、ＭＭＥがデータタイプＡＰＮに従ってデータベアラを確立するようにする。
【００２３】
第５の態様、または第５の態様の第１の可能な実装手法を参照すると、第５の態様の第２の可能な実装手法において、端末が国際ローミング状態にあるとき、データスイッチは、データトラフィックスイッチおよび国際ローミングスイッチを含み、処理ユニットは、データトラフィックスイッチのステータスまたは国際ローミングスイッチのステータスのうちの少なくとも１つを検出するようにさらに構成され、トランシーバユニットは、データトラフィックスイッチのステータスが有効化された状態から無効化された状態に変更されたとき、または国際ローミングスイッチのステータスが有効化された状態から無効化された状態に変更されたとき、公衆データネットワークＰＤＮ切断要求をモビリティ管理エンティティＭＭＥに送信するように構成される。
【００２４】
第５の態様の第１の可能な実装手法、または第５の態様の第２の可能な実装手法を参照すると、第５の態様の第３の可能な実装手法において、トランシーバユニットは、データトラフィックスイッチのステータスが無効化された状態から有効化された状態に変更された後、かつ国際ローミングスイッチのステータスが無効化された状態から有効化された状態に変更された後、ＰＤＮ接続要求をＭＭＥに送信するようにさらに構成される。
【００２５】
第５の態様、または第５の態様の第１の可能な実装手法を参照すると、第５の態様の第４の可能な実装手法において、端末が非国際ローミング状態にあるとき、データスイッチは、データトラフィックスイッチを含み、処理ユニットは、データトラフィックスイッチのステータスを検出するようにさらに構成され、トランシーバユニットは、データトラフィックスイッチのステータスが有効化された状態から無効化された状態に変更された後、公衆データネットワークＰＤＮ切断要求をモビリティ管理エンティティＭＭＥに送信するように構成される。
【００２６】
第５の態様の第１の可能な実装手法、または第５の態様の第４の可能な実装手法を参照すると、第５の態様の第５の可能な実装手法において、トランシーバユニットは、データトラフィックスイッチのステータスが無効化された状態から有効化された状態に変更された後、ＰＤＮ接続要求をＭＭＥに送信するようにさらに構成される。
【００２７】
第６の態様によれば、本発明の実施形態は、データ処理装置であって、
端末により送信された公衆データネットワークＰＤＮ切断要求を受信するように構成されたトランシーバユニットであって、ＰＤＮ切断要求は、データ領域アクセスポイント名ＡＰＮに対応するデータベアラに関する情報を搬送する、トランシーバユニットと、
ＰＤＮ切断要求に従って、ＡＰＮに対応するデータベアラを削除するように構成された処理ユニットと
を含むデータ処理装置を提供する。
第６の態様を参照すると、第６の態様の第１の可能な実装手法において、トランシーバユニットは、端末により送信されたＰＤＮ接続要求を受信するようにさらに構成され、ＰＤＮ接続要求は、データタイプＡＰＮを搬送し、
処理ユニットは、データタイプＡＰＮに従ってデータベアラを確立するようにさらに構成される。
【００２８】
第７の態様によれば、本発明の実施形態は、データ処理装置であって、
データスイッチのステータスを決定することであって、ステータスは、無効化された状態または有効化された状態を含む、決定することと、データスイッチが無効化された状態にあるとき、アタッチ要求において搬送される暗号化オプション伝送識別子を第１のプリセット値に設定することであって、第１のプリセット値に設定された暗号化オプション伝送識別子は、データスイッチが無効化された状態にあることを示すために使用される、設定することと、データスイッチが有効化された状態にあるとき、暗号化オプション伝送識別子を第２のプリセット値に設定することであって、第２のプリセット値に設定された暗号化オプション伝送識別子は、データスイッチが有効化された状態にあることを示すために使用される、設定することとを行うように構成された処理ユニットと、
アタッチ要求をモビリティ管理エンティティＭＭＥに送信することと、ＭＭＥにより送信された暗号化オプション要求を受信することであって、暗号化オプション伝送識別子が第１のプリセット値であることをＭＭＥが検出したとき、暗号化オプション要求が端末に送信され、暗号化オプション要求は、アタッチ手順においてベアラを確立するために必要とされるインターネットプロトコルＩＰマルチメディアサブシステムＩＭＳアクセスポイント名ＡＰＮを、端末から取得するために使用される、受信することと、ＩＭＳ  ＡＰＮをＭＭＥに送信して、ＭＭＥがＩＭＳ  ＡＰＮに従って音声ベアラを確立するようにすることとを行うように構成されたトランシーバユニットと
を含むデータ処理装置を提供する。
【００２９】
第７の態様を参照すると、第７の態様の第１の可能な実装手法において、端末が国際ローミング状態にあるとき、データスイッチは、データトラフィックスイッチおよび国際ローミングスイッチを含み、処理ユニットは、データトラフィックスイッチのステータスまたは国際ローミングスイッチのステータスのうちの少なくとも１つを決定し、データトラフィックスイッチが無効化された状態にあるとき、または国際ローミングスイッチが無効化された状態にあるとき、アタッチ要求において搬送される暗号化オプション伝送識別子を第１のプリセット値に設定し、データトラフィックスイッチが有効化された状態にあるとき、かつ国際ローミングスイッチが有効化された状態にあるとき、暗号化オプション伝送識別子を第２のプリセット値に設定するようにさらに構成される。
【００３０】
第７の態様の第１の可能な実装手法を参照すると、第７の態様の第２の可能な実装手法において、端末が非国際ローミング状態にあるとき、データスイッチは、データトラフィックスイッチを含み、処理ユニットは、データトラフィックスイッチのステータスを決定し、データトラフィックスイッチが無効化された状態にあるとき、アタッチ要求において搬送される暗号化オプション伝送識別子を第１のプリセット値に設定し、データトラフィックスイッチが有効化された状態にあるとき、暗号化オプション伝送識別子を第２のプリセット値に設定するようにさらに構成される。
【００３１】
第７の態様、または第７の態様の可能な実装手法のいずれか１つを参照すると、第７の態様の第３の可能な実装手法において、トランシーバユニットは、ＰＤＮ接続要求をＭＭＥに送信するようにさらに構成され、ＰＤＮ接続要求は、データタイプＡＰＮを搬送して、ＭＭＥがデータタイプＡＰＮに従ってデータベアラを確立するようにする。
【００３２】
第８の態様によれば、本発明の実施形態は、データ処理装置であって、
端末により送信されたアタッチ要求を受信することであって、アタッチ要求は、暗号化オプション伝送識別子を搬送し、アタッチ手順を実行するようにＭＭＥをトリガーするために使用され、端末のデータスイッチが無効化された状態にあるとき、暗号化オプション伝送識別子は第１のプリセット値であり、端末のデータスイッチが有効化された状態にあるとき、暗号化オプション伝送識別子は第２のプリセット値である、受信することと、暗号化オプション伝送識別子が第１のプリセット値であることをＭＭＥが検出したとき、暗号化オプション要求を端末に送信することであって、暗号化オプション要求は、アタッチ手順においてベアラを確立するために必要とされるインターネットプロトコルＩＰマルチメディアサブシステムＩＭＳアクセスポイント名ＡＰＮを、端末から取得するために使用される、送信することと、端末により送信されたＩＭＳ  ＡＰＮを受信することとを行うように構成されたトランシーバユニットと、
ＩＭＳ  ＡＰＮに従って音声ベアラを確立することを行うように構成された処理ユニットと
を含むデータ処理装置を提供する。
【００３３】
第８の態様を参照すると、第８の態様の第１の可能な実装手法において、トランシーバユニットは、端末により送信されたＰＤＮ接続要求を受信するようにさらに構成され、ＰＤＮ接続要求は、データタイプＡＰＮを搬送し、
処理ユニットは、データタイプＡＰＮに従ってデータベアラを確立するようにさらに構成される。
【００３４】
第９の態様によれば、本発明の実施形態は、データ処理端末であって、
端末のデータスイッチのステータスを検出するように構成されたプロセッサであって、ステータスは、無効化された状態または有効化された状態を含む、プロセッサと、
データスイッチのステータスが有効化された状態から無効化された状態に変更された後、公衆データネットワークＰＤＮ切断要求をモビリティ管理エンティティＭＭＥに送信するように構成されたトランシーバであって、ＰＤＮ切断要求は、データ領域アクセスポイント名ＡＰＮに対応するデータベアラに関する情報を搬送し、ＰＤＮ切断要求は、ＡＰＮに対応するデータベアラを削除するようにＭＭＥをトリガーするために使用される、トランシーバと
を含むデータ処理端末を提供する。
【００３５】
第９の態様を参照すると、第９の態様の第１の可能な実装手法において、トランシーバは、データスイッチのステータスが無効化された状態から有効化された状態に変更された後、ＰＤＮ接続要求をＭＭＥに送信するようにさらに構成され、ＰＤＮ接続要求は、データタイプＡＰＮを搬送して、ＭＭＥがデータタイプＡＰＮに従ってデータベアラを確立するようにする。
【００３６】
第９の態様、または第９の態様の第１の可能な実装手法を参照すると、第９の態様の第２の可能な実装手法において、端末が国際ローミング状態にあるとき、データスイッチは、データトラフィックスイッチおよび国際ローミングスイッチを含み、
プロセッサは、データトラフィックスイッチのステータスまたは国際ローミングスイッチのステータスのうちの少なくとも１つを検出するようにさらに構成され、トランシーバは、データトラフィックスイッチのステータスが有効化された状態から無効化された状態に変更された後、または国際ローミングスイッチのステータスが有効化された状態から無効化された状態に変更された後、公衆データネットワークＰＤＮ切断要求をモビリティ管理エンティティＭＭＥに送信するように構成される。
【００３７】
第９の態様の第１の可能な実装手法、または第９の態様の第２の可能な実装手法を参照すると、第９の態様の第３の可能な実装手法において、トランシーバは、データトラフィックスイッチのステータスが無効化された状態から有効化された状態に変更された後、かつ国際ローミングスイッチのステータスが無効化された状態から有効化された状態に変更された後、ＰＤＮ接続要求をＭＭＥに送信するようにさらに構成される。
【００３８】
第９の態様、または第９の態様の第１の可能な実装手法を参照すると、第９の態様の第４の可能な実装手法において、端末が非国際ローミング状態にあるとき、データスイッチは、データトラフィックスイッチを含み、
プロセッサは、データトラフィックスイッチのステータスを検出するようにさらに構成され、トランシーバは、データトラフィックスイッチのステータスが有効化された状態から無効化された状態に変更された後、公衆データネットワークＰＤＮ切断要求をモビリティ管理エンティティＭＭＥに送信するように構成される。
【００３９】
第９の態様の第１の可能な実装手法、または第９の態様の第４の可能な実装手法を参照すると、第９の態様の第５の可能な実装手法において、トランシーバは、データトラフィックスイッチのステータスが無効化された状態から有効化された状態に変更された後、ＰＤＮ接続要求をＭＭＥに送信するようにさらに構成される。
【００４０】
第１０の態様の態様によれば、本発明の実施形態は、データ処理モビリティ管理エンティティであって、
端末により送信された公衆データネットワークＰＤＮ切断要求を受信するように構成されたトランシーバであって、ＰＤＮ切断要求は、データ領域アクセスポイント名ＡＰＮに対応するデータベアラに関する情報を搬送する、トランシーバと、
ＰＤＮ切断要求に従って、ＡＰＮに対応するデータベアラを削除するように構成されたプロセッサと
を含むデータ処理モビリティ管理エンティティを提供する。
【００４１】
第１０の態様を参照すると、第１０の態様の第１の可能な実装手法において、トランシーバは、端末により送信されたＰＤＮ接続要求を受信するようにさらに構成され、ＰＤＮ接続要求は、データタイプＡＰＮを搬送し、プロセッサは、データタイプＡＰＮに従ってデータベアラを確立するようにさらに構成される。
【００４２】
第１１の態様によれば、本発明の実施形態は、データ処理端末であって、
データスイッチのステータスを決定することであって、ステータスは、無効化された状態または有効化された状態を含む、決定することと、データスイッチが無効化された状態にあるとき、アタッチ要求において搬送される暗号化オプション伝送識別子を第１のプリセット値に設定することであって、第１のプリセット値に設定された暗号化オプション伝送識別子は、データスイッチが無効化された状態にあることを示すために使用される、設定することと、データスイッチが有効化された状態にあるとき、暗号化オプション伝送識別子を第２のプリセット値に設定することであって、第２のプリセット値に設定された暗号化オプション伝送識別子は、データスイッチが有効化された状態にあることを示すために使用される、設定することとを行うように構成されたプロセッサと、
アタッチ要求をモビリティ管理エンティティＭＭＥに送信することと、ＭＭＥにより送信された暗号化オプション要求を受信することであって、暗号化オプション伝送識別子が第１のプリセット値であることをＭＭＥが検出したとき、暗号化オプション要求が端末に送信され、暗号化オプション要求は、アタッチ手順においてベアラを確立するために必要とされるインターネットプロトコルＩＰマルチメディアサブシステムＩＭＳアクセスポイント名ＡＰＮを、端末から取得するために使用される、受信することと、ＩＭＳ  ＡＰＮをＭＭＥに送信して、ＭＭＥがＩＭＳ  ＡＰＮに従って音声ベアラを確立するようにすることとを行うように構成されたトランシーバと、
を含むデータ処理端末を提供する。
【００４３】
第１１の態様を参照すると、第１１の態様の第１の可能な実装手法において、端末が国際ローミング状態にあるとき、データスイッチは、データトラフィックスイッチおよび国際ローミングスイッチを含み、プロセッサは、データトラフィックスイッチのステータスまたは国際ローミングスイッチのステータスのうちの少なくとも１つを決定し、データトラフィックスイッチが無効化された状態にあるとき、または国際ローミングスイッチが無効化された状態にあるとき、アタッチ要求において搬送される暗号化オプション伝送識別子を第１のプリセット値に設定し、データトラフィックスイッチが有効化された状態にあるとき、かつ国際ローミングスイッチが有効化された状態にあるとき、暗号化オプション伝送識別子を第２のプリセット値に設定するようにさらに構成される。
【００４４】
第１１の態様を参照すると、第１１の態様の第２の可能な実装手法において、端末が非国際ローミング状態にあるとき、データスイッチは、データトラフィックスイッチを含み、プロセッサは、データトラフィックスイッチのステータスを決定し、データトラフィックスイッチが無効化された状態にあるとき、アタッチ要求において搬送される暗号化オプション伝送識別子を第１のプリセット値に設定し、データトラフィックスイッチが有効化された状態にあるとき、暗号化オプション伝送識別子を第２のプリセット値に設定するようにさらに構成される。
【００４５】
第１１の態様、または第１１の態様の可能な実装手法のいずれか１つを参照すると、第１１の態様の第３の可能な実装手法において、トランシーバは、ＰＤＮ接続要求をＭＭＥに送信するようにさらに構成され、ＰＤＮ接続要求は、データタイプＡＰＮを搬送して、ＭＭＥがデータタイプＡＰＮに従ってデータベアラを確立するようにする。
【００４６】
第１２の態様によれば、本発明の実施形態は、データ処理モビリティ管理エンティティであって、
端末により送信されたアタッチ要求を受信することであって、アタッチ要求は、暗号化オプション伝送識別子を搬送し、端末のデータスイッチが無効化された状態にあるとき、暗号化オプション伝送識別子は第１のプリセット値であり、端末のデータスイッチが有効化された状態にあるとき、暗号化オプション伝送識別子は第２のプリセット値である、受信することと、暗号化オプション伝送識別子が第１のプリセット値であることをＭＭＥが検出したとき、暗号化オプション要求を端末に送信することであって、暗号化オプション要求は、アタッチ手順においてベアラを確立するために必要とされるインターネットプロトコルＩＰマルチメディアサブシステムＩＭＳアクセスポイント名ＡＰＮを、端末から取得するために使用される、送信することと、端末により送信されたＩＭＳ  ＡＰＮを受信することとを行うように構成されたトランシーバと、
ＩＭＳ  ＡＰＮに従って音声ベアラを確立することを行うように構成されたプロセッサと
を含むデータ処理モビリティ管理エンティティを提供する。
【００４７】
第１２の態様を参照すると、第１２の態様の第１の可能な実装手法において、トランシーバは、端末により送信されたＰＤＮ接続要求を受信するようにさらに構成され、ＰＤＮ接続要求は、データタイプＡＰＮを搬送し、
プロセッサは、データタイプＡＰＮに従ってデータベアラを確立するようにさらに構成される。
【００４８】
第１３の態様によれば、本発明の実施形態は、第９の態様による端末と第１０の態様によるモビリティ管理エンティティとを含むデータ処理システムを提供する。
【００４９】
第１４の態様によれば、本発明の実施形態は、第１１の態様による端末と第１２の態様によるモビリティ管理エンティティとを含むデータ処理システムを提供する。
【００５０】
一態様において、本発明の実施形態は、データ処理方法、装置、端末、モビリティ管理エンティティ、およびシステムを提供する。本発明において、端末はデータスイッチのステータスを検出する。データスイッチが有効化から無効化に変更されたとき、それは、端末がネットワークとのデータ領域データ伝送を行う必要がないことを示す。この場合、端末は、データ領域ＡＰＮに対応するデータベアラに関する情報を搬送するＰＤＮ切断要求を、モビリティ管理エンティティＭＭＥに送信する。ＰＤＮ切断要求を受信した後、ＭＭＥは、ベアラ削除手順を実行して、データ領域ＡＰＮに対応するデータベアラを削除する。このようにして、データスイッチが無効化された後、端末は、ＰＤＮ切断要求をＭＭＥに送信して、ＭＭＥがデータベアラ削除手順を実行する、すなわち、端末とネットワークの間のデータ伝送を行うためのチャネルを削除するようにし、そうすることで、端末とネットワークの間でデータ領域データ伝送がもはや行われないようにして、データ伝送リソースを浪費すること、および端末のユーザに不必要な損失をもたらすことを回避する。
【００５１】
別の態様において、本発明の実施形態は、データ処理方法、装置、端末、モビリティ管理エンティティ、およびシステムを提供する。本発明において、端末は、最初に、データスイッチが無効化された状態にあるかどうかを決定し、データスイッチが無効化された状態にあるとき、アタッチ要求において搬送される暗号化オプション伝送識別子を、データスイッチが無効化された状態にあることを示すために使用される第１のプリセット値に設定し、データスイッチが有効化された状態にあるとき、暗号化オプション伝送識別子を、データスイッチが有効化された状態にあることを示すために使用される第２のプリセット値に設定し、次いで、アタッチ要求をＭＭＥに送信する。暗号化オプション伝送識別子を搬送し端末により送信されたアタッチ要求を受信した後、ＭＭＥは、暗号化オプション伝送識別子の値を検出し、暗号化オプション伝送識別子が第１のプリセット値であるとき、暗号化オプション要求を端末に送信して、アタッチ手順においてベアラを確立するために必要とされるＩＭＳ  ＡＰＮを、端末から取得する。ＭＭＥにより送信された暗号化オプション要求を受信した後、端末は、ＩＭＳ  ＡＰＮをＭＭＥに送信する。ＭＭＥは、受信されたＩＭＳ  ＡＰＮに従って音声ベアラを確立する。このようにして、データスイッチが無効化された状態にあるとき、端末は、アタッチ要求において搬送される暗号化オプション伝送識別子を、データスイッチが無効化された状態にあることを示すために使用される第１のプリセット値に設定して、このアタッチ手順においてベアラを確立するために必要とされるＡＰＮがＩＭＳ  ＡＰＮであることを示す。端末からＩＭＳ  ＡＰＮを取得した後、ＭＭＥは音声ベアラを確立する。ベアラを確立するために必要とされるＡＰＮがＩＭＳ  ＡＰＮであり、ＭＭＥはＩＭＳ  ＡＰＮを使用することによってデータベアラを確立することができないので、端末とネットワークの間のデータ伝送を行うためのチャネルが確立されることができず、そうすることで、端末とネットワークの間でデータ領域データ伝送が行われないようにして、データ伝送リソースを浪費すること、および端末のユーザに不必要な損失をもたらすことを回避する。
【図面の簡単な説明】
【００５２】
本発明の実施形態における技術的解決策をより明確に説明するために、実施形態を説明するために必要とされる添付図面を以下で簡単に説明する。明らかに、以下の説明において添付図面は本発明の実施形態の一部を示すに過ぎず、当業者は創作的努力なしにこれらの添付図面から他の図面を導き出し得る。
【００５３】
【図１】本発明の実施形態による方法のフローチャートである。
【図２】本発明の別の実施形態による方法のフローチャートである。
【図３】本発明の別の実施形態による方法のフローチャートである。
【図４】本発明の別の実施形態による方法のフローチャートである。
【図５】本発明の別の実施形態による方法のフローチャートである。
【図６Ａ】本発明の別の実施形態による方法のフローチャートである。
【図６Ｂ】本発明の別の実施形態による方法のフローチャートである。
【図７】本発明の別の実施形態による装置の概略構造図である。
【図８】本発明の別の実施形態による装置の概略構造図である。
【図９】本発明の別の実施形態による装置の概略構造図である。
【図１０】本発明の別の実施形態による装置の概略構造図である。
【図１１】本発明の別の実施形態による端末の概略構造図である。
【図１２】本発明の別の実施形態によるモビリティ管理エンティティの概略構造図である。
【図１３】本発明の別の実施形態による端末の概略構造図である。
【図１４】本発明の別の実施形態によるモビリティ管理エンティティの概略構造図である。
【図１５】本発明の別の実施形態によるシステムの概略構造図である。
【図１６】本発明の別の実施形態によるシステムの概略構造図である。
【発明を実施するための形態】
【００５４】
以下では、本発明の実施形態における添付図面を参照して、本発明の実施形態における技術的解決策を明確に完全に説明する。明らかに、説明される実施形態は、本発明の実施形態の全部ではなく一部に過ぎない。本発明の実施形態に基づいて創作的努力なしに当業者によって得られるすべての他の実施形態は、本発明の保護範囲内に入る。
【００５５】
本発明の実施形態は、端末とネットワークの間でデータベアラおよび音声ベアラが確立されるケース、または端末がアタッチされていないネットワークに端末が入ってアタッチ手順の実行を開始するケースに適用され得る。端末がネットワークとのデータ伝送を行う必要がある場合、まずデータベアラが確立される必要があり、次いでデータ伝送が行われることができる。ベアラが確立された後、端末とネットワークの間でデータ伝送が期間において行われなくても、確立されたベアラに関する情報が依然として存在し、端末またはネットワークがセッションを再開した後に、データ伝送が依然として行われることができる。
【００５６】
本発明の実施形態は、図１に示されるように端末によって使用されるデータ処理方法を提供する。この実施形態は、端末とネットワークの間でデータベアラおよび音声ベアラが確立されるケースに適用され得る。この方法は以下のステップを含む。
【００５７】
１０１．  端末が、端末のデータスイッチのステータスを検出する。
【００５８】
ステータスは、無効化された状態または有効化された状態を含む。
【００５９】
任意選択で、端末が国際ローミング状態にあるとき、データスイッチは、データトラフィックスイッチおよび国際ローミングスイッチを含み、端末がデータスイッチのステータスを検出する特定の手法は、データトラフィックスイッチのステータスまたは国際ローミングスイッチのステータスのうちの少なくとも１つを検出している。端末が非国際ローミング状態にあるとき、データスイッチは、データトラフィックスイッチを含み、端末がデータスイッチのステータスを検出する特定の手法は、データトラフィックスイッチのステータスを検出している。
【００６０】
１０２．  データスイッチのステータスが有効化された状態から無効化された状態に変更された後、端末は、公衆データネットワークＰＤＮ切断要求をモビリティ管理エンティティＭＭＥに送信する。
【００６１】
ＰＤＮ（公衆データネットワーク）切断要求は、データ領域ＡＰＮに対応するデータベアラに関する情報を搬送し、ＭＭＥ（モビリティ管理エンティティ）によってデータベアラを削除するために使用される。
【００６２】
任意選択で、端末が公衆データネットワークＰＤＮ切断要求をＭＭＥに送信した後、データスイッチが無効化から有効化に変更されたとき、端末は、データタイプＡＰＮを搬送するＰＤＮ接続要求をＭＭＥに送信して、ＭＭＥがデータタイプＡＰＮに従ってデータベアラを確立するようにし、したがって、端末はネットワークとのデータ領域データ伝送を行うことができるようになる。
【００６３】
任意選択で、端末が国際ローミング状態にあるとき、端末は、データトラフィックスイッチのステータスまたは国際ローミングスイッチのステータスのうちの少なくとも１つを検出する必要がある。データトラフィックスイッチのステータスが有効化された状態から無効化された状態に変更された後、または国際ローミングスイッチのステータスが有効化された状態から無効化された状態に変更された後、端末は、公衆データネットワークＰＤＮ切断要求をモビリティ管理エンティティＭＭＥに送信し、データトラフィックスイッチのステータスが無効化された状態から有効化された状態に変更された後、かつ国際ローミングスイッチのステータスが無効化された状態から有効化された状態に変更された後、ＰＤＮ接続要求をＭＭＥに送信する。端末が非国際ローミング状態にあるとき、端末はデータトラフィックスイッチのステータスを検出する必要がある。データトラフィックスイッチのステータスが有効化された状態から無効化された状態に変更された後、端末は、公衆データネットワークＰＤＮ切断要求をモビリティ管理エンティティＭＭＥに送信し、データトラフィックスイッチのステータスが無効化された状態から有効化された状態に変更された後、ＰＤＮ接続要求をＭＭＥに送信する。
【００６４】
従来技術においては、データスイッチまたはローミングデータスイッチが無効化された後、端末は、ネットワークに端末がデータを送信しないようにできるに過ぎず、端末とネットワークの間のデータベアラは依然として存在する。端末は、受信される必要のないデータパケットを受信し、対応する料金が算入され、それにより、データ伝送リソースを浪費するだけでなく、ユーザに経済的損失をもたらすことになる。従来技術と比較して、本発明においては、端末がデータスイッチのステータスを検出する。データスイッチが有効化から無効化に変更されたとき、それは、端末がネットワークとのデータ情報伝送を行う必要がないことを示す。この場合、端末が、データ領域ＡＰＮに対応するデータベアラに関する情報を搬送するＰＤＮ切断要求を、モビリティ管理エンティティＭＭＥに送信するので、ＭＭＥは、ＰＤＮ切断要求を受信した後、データベアラ削除手順を実行する。このようにして、端末とネットワークの間のデータ伝送を行うためのチャネルが削除され、そうすることで、端末とネットワークの間でデータ伝送がもはや行われないようにして、データ伝送リソースを浪費すること、および端末のユーザに不必要な損失をもたらすことを回避する。
【００６５】
加えて、端末とネットワークの間で、データベアラおよび音声ベアラが同時に確立され、データベアラは、端末とネットワークの間のデータ領域データ伝送を行うために使用され、音声ベアラは、端末とネットワークの間の音声領域データ伝送を行うために使用されることに留意されたい。従来技術においては、データスイッチが無効化された後、端末は、ネットワークにデータをもはや送信しない、すなわち、端末がネットワークにデータ領域におけるデータをもはや送信しないように制御するだけでなく、端末がネットワークに音声領域におけるデータをもはや送信しないようにするので、端末の音声サービスの使用に影響を及ぼすことになる。本発明のこの実施形態においては、データスイッチが無効化された後、端末は、ＰＤＮ切断要求をＭＭＥに送信してデータベアラを削除するが、端末によるネットワークに対するデータの送信を抑制せず、したがって、端末の音声サービスは正常に使用されることができる。
【００６６】
本発明の別の実施形態は、ＭＭＥによって使用されるデータ処理方法を提供する。図２に示されるように、この方法は以下のステップを含む。
【００６７】
２０１．  ＭＭＥが、端末により送信された公衆データネットワークＰＤＮ切断要求を受信する。
【００６８】
ＰＤＮ切断要求は、データ領域アクセスポイント名ＡＰＮに対応するデータベアラに関する情報を搬送する。
【００６９】
２０２．  ＭＭＥは、ＰＤＮ切断要求に従って、ＡＰＮに対応するデータベアラを削除する。
【００７０】
任意選択で、ＭＭＥはさらに、データタイプＡＰＮを搬送し端末により送信されたＰＤＮ接続要求を受信し、次いで、データタイプＡＰＮに従ってデータベアラを確立し得る。
【００７１】
従来技術においては、データスイッチまたはローミングデータスイッチが無効化された後、端末は、ネットワークに端末がデータを送信しないようにできるに過ぎず、端末とネットワークの間のデータベアラは依然として存在する。端末は、受信される必要のないデータパケットを受信し、対応する料金が算入され、それにより、データ伝送リソースを浪費するだけでなく、ユーザに経済的損失をもたらすことになる。従来技術と比較して、本発明においては、端末のデータスイッチが有効化から無効化に変更された後、ＭＭＥは、ＰＤＮ切断要求を受信し、次いで、ＰＤＮ切断要求に従ってデータベアラ削除手順を実行して、データ領域ＡＰＮに対応するデータベアラを削除し、すなわち、端末とネットワークの間のデータ伝送を行うためのチャネルを削除し、そうすることで、端末とネットワークの間でデータ領域データ伝送がもはや行われないようにして、データ伝送リソースを浪費すること、および端末のユーザに不必要な損失をもたらすことを回避する。
【００７２】
加えて、端末とネットワークの間で、データベアラおよび音声ベアラが同時に確立され、データベアラが、端末とネットワークの間のデータ領域データ伝送を行うために使用され、音声ベアラが、端末とネットワークの間の音声領域データ伝送を行うために使用されることに留意されたい。従来技術においては、データスイッチが無効化された後、端末は、ネットワークにデータをもはや送信しない、すなわち、端末がネットワークにデータ領域におけるデータをもはや送信しないように制御するだけでなく、端末がネットワークに音声領域におけるデータをもはや送信しないようにするので、端末の音声サービスの使用に影響を及ぼすことになる。本発明のこの実施形態においては、端末のデータスイッチが無効化された後、ＭＭＥは、端末により送信されたＰＤＮ切断要求を受信し、データベアラを削除する。端末が、端末によるネットワークに対するデータの送信を抑制しないので、ネットワークは、端末との音声領域データ伝送を依然として行うことができ、端末の音声サービスは正常に使用されることができる。
【００７３】
本発明の別の実施形態は、図３に示されるように、端末によって使用されるデータ処理方法を提供する。この実施形態は、端末がアタッチされていないネットワークに端末が入ってアタッチ手順の実行を開始するケースに適用され得る。この方法は以下のステップを含む。
【００７４】
３０１．  端末が、データスイッチのステータスを決定する。
【００７５】
ステータスは、無効化された状態または有効化された状態を含む。
【００７６】
任意選択で、端末が国際ローミング状態にあるとき、データスイッチは、データトラフィックスイッチおよび国際ローミングスイッチを含み、端末がデータスイッチのステータスを決定する特定の手法は、データトラフィックスイッチのステータスまたは国際ローミングスイッチのステータスのうちの少なくとも１つを決定している。端末が非国際ローミング状態にあるとき、データスイッチは、データトラフィックスイッチを含み、端末がデータスイッチのステータスを決定する特定の手法は、データトラフィックスイッチのステータスを決定している。
【００７７】
３０２．  データスイッチが無効化された状態にあるとき、アタッチ要求において搬送される暗号化オプション伝送識別子を第１のプリセット値に設定し、データスイッチが有効化された状態にあるとき、暗号化オプション伝送識別子を第２のプリセット値に設定する。
【００７８】
第１のプリセット値に設定された暗号化オプション伝送識別子は、データスイッチが無効化された状態にあることを示すために使用され、第２のプリセット値に設定された暗号化オプション伝送識別子は、データスイッチが有効化された状態にあることを示すために使用される。
【００７９】
任意選択で、端末が国際ローミング状態にあるとき、端末は、データトラフィックスイッチのステータスまたは国際ローミングスイッチのステータスのうちの少なくとも１つを検出する必要があり、データトラフィックスイッチが無効化された状態にあるとき、または国際ローミングスイッチが無効化された状態にあるとき、アタッチ要求において搬送される暗号化オプション伝送識別子を第１のプリセット値に設定し、データトラフィックスイッチが有効化された状態にあるとき、かつ国際ローミングスイッチが有効化された状態にあるとき、暗号化オプション伝送識別子を第２のプリセット値に設定する。端末が非国際ローミング状態にあるとき、端末は、データトラフィックスイッチのステータスを決定する必要があり、データトラフィックスイッチが無効化された状態にあるとき、アタッチ要求において搬送される暗号化オプション伝送識別子を第１のプリセット値に設定し、データトラフィックスイッチが有効化された状態にあるとき、暗号化オプション伝送識別子を第２のプリセット値に設定する。
【００８０】
３０３．  端末は、アタッチ要求をモビリティ管理エンティティＭＭＥに送信する。
【００８１】
３０４．  端末は、ＭＭＥにより送信された暗号化オプション要求を受信する。
【００８２】
暗号化オプション伝送識別子が第１のプリセット値であることをＭＭＥが検出したとき、暗号化オプション要求が端末に送信され、暗号化オプション要求は、アタッチ手順においてベアラを確立するために必要とされるインターネットプロトコルＩＰマルチメディアサブシステムＩＭＳアクセスポイント名ＡＰＮを、端末から取得するために使用される。
【００８３】
３０５．  端末は、ＩＭＳ  ＡＰＮをＭＭＥに送信する。
【００８４】
端末は、ＩＭＳ  ＡＰＮをＭＭＥに送信して、ＭＭＥがＩＭＳ  ＡＰＮに従って音声ベアラを確立するようにする。
【００８５】
任意選択で、端末は、ＰＤＮ接続要求をＭＭＥに送信し、ＰＤＮ接続要求は、データタイプＡＰＮを搬送して、ＭＭＥがデータタイプＡＰＮに従ってデータベアラを確立するようにする。
【００８６】
従来技術においては、データスイッチまたはローミングデータスイッチが無効化された後、端末は、ネットワークに端末がデータを送信しないようにできるに過ぎず、端末とネットワークの間のデータベアラは依然として存在する。端末は、受信される必要のないデータパケットを受信し、対応する料金が算入され、それにより、データ伝送リソースを浪費するだけでなく、ユーザに経済的損失をもたらすことになる。従来技術と比較して、本発明においては、端末は、最初に、データスイッチが無効化された状態にあるかどうかを決定し、データスイッチが無効化された状態にあるとき、アタッチ要求において搬送される暗号化オプション伝送識別子を、データスイッチが無効化された状態にあることを示すために使用される第１のプリセット値に設定し、データスイッチが有効化された状態にあるとき、暗号化オプション伝送識別子を、データスイッチが有効化された状態にあることを示すために使用される第２のプリセット値に設定し、次いで、アタッチ要求をＭＭＥに送信する。ＭＭＥにより送信された暗号化オプション要求を受信した後、端末は、ＩＭＳ  ＡＰＮをＭＭＥに送信して、ＭＭＥが、受信されたＩＭＳ  ＡＰＮに従って音声ベアラを確立するようにする。このようにして、データスイッチが無効化された状態にあるとき、端末は、アタッチ要求において搬送される暗号化オプション伝送識別子を、データスイッチが無効化された状態にあることを示すために使用される第１のプリセット値に設定して、このアタッチ手順においてベアラを確立するために必要とされるＡＰＮがＩＭＳ  ＡＰＮであることを示す。端末からＩＭＳ  ＡＰＮを取得した後、ＭＭＥは音声ベアラを確立する。ベアラを確立するために必要とされるＡＰＮがＩＭＳ  ＡＰＮであり、ＭＭＥはＩＭＳ  ＡＰＮを使用することによってデータベアラを確立することができないので、端末とネットワークの間のデータ伝送を行うためのチャネルが確立されることができず、そうすることで、端末とネットワークの間でデータ領域データ伝送が行われないようにして、データ伝送リソースを浪費すること、および端末のユーザに不必要な損失をもたらすことを回避する。
【００８７】
加えて、端末がネットワークにアタッチされているとき、端末とネットワークの間でデータベアラおよび音声ベアラが同時に確立されることに留意されたい。データベアラは、端末とネットワークの間のデータ領域データ伝送を行うために使用され、音声ベアラは、端末とネットワークの間の音声領域データ伝送を行うために使用される。従来技術においては、データスイッチが無効化された状態にあるとき、端末は、ネットワークにデータをもはや送信しない、すなわち、端末がネットワークにデータ領域におけるデータをもはや送信しないように制御するだけでなく、端末がネットワークに音声領域におけるデータをもはや送信しないようにする。したがって、端末は、ネットワークにアタッチされることができず、端末の音声サービスの使用が影響を受ける。本発明のこの実施形態においては、端末がネットワークにアタッチされることを開始するとき、データスイッチが無効化された状態にある場合、アタッチ手順において端末とネットワークの間でデータベアラが確立されずに音声ベアラのみが確立され、ネットワークは端末との音声領域データ伝送を行うことができ、端末の音声サービスは正常に使用されることができる。
【００８８】
本発明の別の実施形態は、ＭＭＥにより使用されるデータ処理方法を提供する。図４に示されるように、この方法は以下のステップを含む。
【００８９】
４０１．  モビリティ管理エンティティＭＭＥが、端末により送信されたアタッチ要求を受信する。
【００９０】
アタッチ要求は、暗号化オプション伝送識別子を搬送する。端末のデータスイッチが無効化された状態にあるとき、暗号化オプション伝送識別子は第１のプリセット値であり、端末のデータスイッチが有効化された状態にあるとき、暗号化オプション伝送識別子は第２のプリセット値である。
【００９１】
４０２．  暗号化オプション伝送識別子が第１のプリセット値であることをＭＭＥが検出したとき、ＭＭＥは、暗号化オプション要求を端末に送信する。
【００９２】
暗号化オプション要求は、アタッチ手順においてベアラを確立するために必要とされるインターネットプロトコルＩＰマルチメディアサブシステムＩＭＳアクセスポイント名ＡＰＮを、端末から取得するために使用される。
【００９３】
４０３．  ＭＭＥは、端末により送信されたＩＭＳ  ＡＰＮを受信する。
【００９４】
４０４．  ＭＭＥは、ＩＭＳ  ＡＰＮに従って音声ベアラを確立する。
【００９５】
任意選択で、ＭＭＥはさらに、端末により送信されデータタイプＡＰＮを搬送するＰＤＮ接続要求を受信し、次いで、データタイプＡＰＮに従ってデータベアラを確立し得る。
【００９６】
従来技術においては、データスイッチまたはローミングデータスイッチが無効化された後、端末は、ネットワークに端末がデータを送信しないようにできるに過ぎず、端末とネットワークの間のデータベアラは依然として存在する。端末は、受信される必要のないデータパケットを受信し、対応する料金が算入され、それにより、データ伝送リソースを浪費するだけでなく、ユーザに経済的損失をもたらすことになる。従来技術と比較して、本発明においては、暗号化オプション伝送識別子を搬送し端末により送信されたアタッチ要求を受信した後、ＭＭＥは、暗号化オプション伝送識別子の値を検出し、暗号化オプション伝送識別子が第１のプリセット値であるとき、暗号化オプション要求を端末に送信して、アタッチ手順においてベアラを確立するために必要とされるＩＭＳ  ＡＰＮを、端末から取得する。端末により送信されたＩＭＳ  ＡＰＮを受信した後、ＭＭＥは、受信されたＩＭＳ  ＡＰＮに従って音声ベアラを確立する。このようにして、アタッチ要求において搬送される暗号化オプション伝送識別子が、データスイッチが無効化された状態にあることを示すために使用される第１のプリセット値に設定された後、ＭＭＥは、端末からＩＭＳ  ＡＰＮを取得し、音声ベアラを確立する。ベアラを確立するために必要とされるＡＰＮがＩＭＳ  ＡＰＮであり、ＭＭＥはＩＭＳ  ＡＰＮを使用することによってデータベアラを確立することができないので、端末とネットワークの間のデータ伝送を行うためのチャネルが確立されることができず、そうすることで、端末とネットワークの間でデータ領域データ伝送が行われないようにして、データ伝送リソースを浪費すること、および端末のユーザに不必要な損失をもたらすことを回避する。
【００９７】
加えて、端末がネットワークにアタッチされているとき、端末とネットワークの間でデータベアラおよび音声ベアラが同時に確立されることに留意されたい。データベアラは、端末とネットワークの間のデータ領域データ伝送を行うために使用され、音声ベアラは、端末とネットワークの間の音声領域データ伝送を行うために使用される。従来技術においては、データスイッチが無効化された状態にあるとき、端末は、ネットワークにデータをもはや送信しない、すなわち、端末がネットワークにデータ領域におけるデータをもはや送信しないように制御するだけでなく、端末がネットワークに音声領域におけるデータをもはや送信しないようにする。したがって、端末は、ネットワークにアタッチされることができず、端末の音声サービスの使用が影響を受ける。本発明のこの実施形態においては、端末がネットワークにアタッチされることを開始するとき、データスイッチが無効化された状態にある場合、アタッチ手順において端末とネットワークの間でデータベアラが確立されずに音声ベアラのみが確立され、ネットワークは端末との音声領域データ伝送を行うことができ、端末の音声サービスは正常に使用されることができる。
【００９８】
本発明の別の実施形態は、端末の使用中にデータスイッチが有効化または無効化されるプロセスにおいてデータ処理のために使用されるデータ処理方法を提供する。データ処理システムは、端末、ｅＮｏｄｅＢ（発展型ノードＢ）、ＭＭＥ、Ｓ−ＧＷ（サービングゲートウェイ）、Ｐ−ＧＷ（パケットデータネットワークゲートウェイ）、およびＰＣＲＦ（ポリシー制御および課金ルール機能）を含む。端末は、無線通信を用いてネットワークと通信することができる。ｅＮｏｄｅＢは、無線ベアラ制御、無線アクセス制御、および接続モビリティ制御を担当する。ＭＭＥは、アクセス制御、モビリティ管理、セッション管理、およびネットワーク要素選択などを担当する。Ｓ−ＧＷは、端末のモビリティのためのユーザプレーンデータスイッチングをサポートする機能を有する。Ｐ−ＧＷは、端末によるパケットデータネットワークに対するアクセスを担当するゲートウェイである。ＰＣＲＦは、ネットワークにおけるサービスデータストリームおよびＩＰベアラリソースのポリシーおよび課金制御のポリシー決定ポイントである。図５に示されるように、この方法は以下のステップを含む。
【００９９】
５０１．  端末が、データスイッチのステータスを決定する。
【０１００】
ステータスは、無効化された状態または有効化された状態を含む。端末が国際ローミング状態にあるとき、データスイッチは、データトラフィックスイッチおよび国際ローミングスイッチを含み、端末がデータスイッチのステータスを検出する特定の手法は、データトラフィックスイッチのステータスまたは国際ローミングスイッチのステータスのうちの少なくとも１つを検出している。端末が非国際ローミング状態にあるとき、データスイッチは、データトラフィックスイッチを含み、端末がデータスイッチのステータスを検出する特定の手法は、データトラフィックスイッチのステータスを検出している。
【０１０１】
５０２．  データスイッチが無効化された状態にあるとき、ＰＤＮ切断要求をＭＭＥに送信する。
【０１０２】
ＰＤＮ切断要求は、データ領域ＡＰＮに対応していて端末とネットワークの間に確立されたベアラセッションを搬送する。端末が国際ローミング状態にあるとき、端末は、データトラフィックスイッチのステータスまたは国際ローミングスイッチのステータスのうちの少なくとも１つを検出する必要がある。データトラフィックスイッチのステータスが有効化された状態から無効化された状態に変更された後、または国際ローミングスイッチのステータスが有効化された状態から無効化された状態に変更された後、端末は、公衆データネットワークＰＤＮ切断要求をモビリティ管理エンティティＭＭＥに送信し、データトラフィックスイッチのステータスが無効化された状態から有効化された状態に変更された後、かつ国際ローミングスイッチのステータスが無効化された状態から有効化された状態に変更された後、ＰＤＮ接続要求をＭＭＥに送信する。端末が非国際ローミング状態にあるとき、端末はデータトラフィックスイッチのステータスを検出する必要がある。データトラフィックスイッチのステータスが有効化された状態から無効化された状態に変更された後、端末は、公衆データネットワークＰＤＮ切断要求をモビリティ管理エンティティＭＭＥに送信し、データトラフィックスイッチのステータスが無効化された状態から有効化された状態に変更された後、ＰＤＮ接続要求をＭＭＥに送信する。
【０１０３】
任意選択で、端末がアイドル状態にある場合、端末は、サービス要求手順を開始して接続およびベアラセッションを再開する必要があり、次いで、ＰＤＮ切断要求をＭＭＥに送信することができる。
【０１０４】
端末が長い間にわたってネットワークとのデータ領域データ伝送を行わない場合、端末はアイドル状態に入り、再びネットワークにデータを送信するとき、端末は、まずサービス要求手順を開始して、ネットワークに対する接続およびベアラセッションを再開する必要があることに留意されたい。
【０１０５】
５０３．  ＭＭＥは、データベアラ削除コマンドをＳ−ＧＷに向けて発する（ｉｎｉｔｉａｔｅ）。
【０１０６】
５０４．  Ｓ−ＧＷは、データベアラ削除コマンドをＰ−ＧＷに転送する。
【０１０７】
５０５．  Ｐ−ＧＷは、ＩＰ−ＣＡＮ（Ｉｎｔｅｒｎｅｔ  Ｐｒｏｔｏｃｏｌ  Ｃｏｎｎｅｃｔｉｖｉｔｙ  Ａｃｃｅｓｓ  Ｎｅｔｗｏｒｋ、ＩＰ接続性アクセスネットワーク）セッション修正手順をＰＣＲＦに向けて開始する。
【０１０８】
ＩＰ−ＣＡＮセッション修正手順は、データベアラセッションを削除するために使用される。
【０１０９】
５０６．  ＰＣＲＦはＰ−ＧＷに応答してデータベアラセッションを削除し、ＰＣＲＦはデータベアラ削除要求をＳ−ＧＷに向けて開始する。
【０１１０】
５０７．  Ｓ−ＧＷは、データベアラ削除要求をＭＭＥに転送する。
【０１１１】
５０８．  ＭＭＥと端末の間のデータベアラを削除する。
【０１１２】
５０９．  ＭＭＥは、データベアラ削除応答をＳ−ＧＷに送信する。
【０１１３】
Ｓ−ＧＷは、データベアラ削除応答に従って、データベアラが削除されたことを認識し得る。
【０１１４】
５１０．  Ｓ−ＧＷは、データベアラ削除応答をＰ−ＧＷに転送する。
【０１１５】
Ｐ−ＧＷは、データベアラ削除応答に従って、データベアラが削除されたことを認識し得る。
【０１１６】
上記の手順は、データスイッチが無効化された後にデータベアラを検出する手順であることに留意されたい。データスイッチが再び有効化されると、端末は、データベアラ確立要求をＭＭＥに送信して、データベアラ確立手順を実行するようにＭＭＥをトリガーする必要があり、そうすると、端末はネットワークとのデータ領域データ伝送を行うことができるようになる。特定の手順は以下の通りである。
【０１１７】
５１１．  データスイッチが有効化されると、端末がＰＤＮ接続要求をＭＭＥに送信する。
【０１１８】
ＰＤＮ接続要求は、データタイプＡＰＮを搬送する。
【０１１９】
任意選択で、データスイッチが有効化されたときに端末がアイドル状態にある場合、端末は、まずサービス要求手順を開始して、接続およびベアラセッションを再開する必要があり、次いでＰＤＮ接続要求をＭＭＥに送信することができる。
【０１２０】
５１２．  ＭＭＥは、ＰＤＮ接続要求に従ってセッション確立手順を実行する。
【０１２１】
セッション確立手順は、ＭＭＥがセッション作成要求をＳ−ＧＷに向けて開始し、Ｓ−ＧＷがセッション作成要求をＰ−ＧＷに向けて開始し、Ｐ−ＧＷのＰＣＥＦがＩＰ−ＣＡＮセッション確立／修正手順をＰＣＲＦに向けて開始し、ＰＣＲＦがセッション作成応答を返し、Ｐ−ＧＷがセッション作成応答をＳ−ＧＷに向けて開始し、Ｓ−ＧＷがセッション作成応答をＭＭＥに向けて開始することを含む。
【０１２２】
５１３．  ＭＭＥは、データベアラ確立手順を実行する。
【０１２３】
データベアラ確立手順は、ＭＭＥが、データベアラ確立要求をｅＮｏｄｅＢに向けて開始し、データベアラ確立要求はデフォルトベアラアクティブ化要求メッセージを搬送することと、ｅＮｏｄｅＢが、ＲＲＣ再構成手順を端末に向けて開始することと、端末が、ＲＲＣ再構成完了手順をｅＮｏｄｅＢに向けて開始することと、ｅＮｏｄｅＢが、データベアラ確立応答をＭＭＥに向けて開始することと、端末が、ＭＭＥに転送される必要があるデフォルトベアラアクティブ化受諾メッセージを搬送する直接転送メッセージを、ｅＮｏｄｅＢに向けて開始することと、ｅＮｏｄｅＢが、端末により送信されたデフォルトベアラアクティブ化受諾メッセージを搬送するＰＤＮ接続完了メッセージを、ＭＭＥに送信することとを含む。
【０１２４】
ステップが行われた後、端末とネットワークの間のデータベアラが確立され、端末がネットワークにデータを送信できることに留意されたい。
【０１２５】
従来技術においては、データスイッチまたはローミングデータスイッチが無効化された後、端末は、ネットワークに端末がデータを送信しないようにできるに過ぎず、端末とネットワークの間のデータベアラは依然として存在する。端末は、受信される必要のないデータパケットを受信し、対応する料金が算入され、それにより、データ伝送リソースを浪費するだけでなく、ユーザに経済的損失をもたらすことになる。従来技術と比較して、本発明においては、端末がデータスイッチのステータスを検出する。データスイッチが無効化されたとき、それは、端末がネットワークとのデータ領域データ伝送を行う必要がないことを示す。この場合、端末が、データ領域ＡＰＮに対応するデータベアラに関する情報を搬送するＰＤＮ切断要求をＭＭＥに送信するので、ＭＭＥは、ＰＤＮ切断要求を受信した後、ベアラ削除手順を実行する。このようにして、端末とネットワークの間のデータ伝送を行うためのチャネルが削除され、そうすることで、端末とネットワークの間でデータ伝送がもはや行われないようにして、端末のユーザに不必要な損失をもたらすことを回避する。
【０１２６】
加えて、端末とネットワークの間で、データベアラおよび音声ベアラが同時に確立され、データベアラは、端末とネットワークの間のデータ領域データ伝送を行うために使用され、音声ベアラは、端末とネットワークの間の音声領域データ伝送を行うために使用されることに留意されたい。従来技術においては、データスイッチが無効化された後、端末は、ネットワークにデータをもはや送信しない、すなわち、端末がネットワークにデータ領域におけるデータをもはや送信しないように制御するだけでなく、端末がネットワークに音声領域におけるデータをもはや送信しないようにするので、端末の音声サービスの使用に影響を及ぼすことになる。本発明のこの実施形態においては、データスイッチが無効化された後、端末は、ＰＤＮ切断要求をＭＭＥに送信してデータベアラを削除するが、端末によるネットワークに対するデータの送信を抑制せず、したがって、端末の音声サービスは正常に使用されることができる。
【０１２７】
本発明の別の実施形態は、端末がネットワークにアタッチされているときにデータ処理のために使用されるデータ処理方法を提供する。データ処理システムは、端末、ｅＮｏｄｅＢ、ＭＭＥ、Ｓ−ＧＷ、Ｐ−ＧＷ、ＰＣＲＦ、およびＨＳＳ（ホーム加入者サーバ）を含む。システムにおける端末、ｅＮｏｄｅＢ、ＭＭＥ、Ｓ−ＧＷ、Ｐ−ＧＷ、およびＰＣＲＦの機能は、図５に示された実施形態のそれらの機能と同じである。ＨＳＳは、ユーザの識別子認証および許可を担当し、ユーザの物理的位置に関する情報を提供し得る。図６Ａおよび図６Ｂに示されるように、この方法は以下のステップを含む。
【０１２８】
６０１．  端末が、データスイッチのステータスを決定し、データスイッチのステータスに従って暗号化オプション伝送識別子を設定する。
【０１２９】
端末が国際ローミング状態にあるとき、データスイッチは、データトラフィックスイッチおよび国際ローミングスイッチを含み、端末がデータスイッチのステータスを決定する特定の手法は、データトラフィックスイッチのステータスまたは国際ローミングスイッチのステータスのうちの少なくとも１つを決定している。端末が非国際ローミング状態にあるとき、データスイッチは、データトラフィックスイッチを含み、端末がデータスイッチのステータスを決定する特定の手法は、データトラフィックスイッチのステータスを決定している。
【０１３０】
端末が国際ローミング状態にあるとき、端末は、データトラフィックスイッチのステータスおよび国際ローミングスイッチのステータスを決定する必要があり、データトラフィックスイッチが無効化された状態にあるとき、または国際ローミングスイッチが無効化された状態にあるとき、アタッチ要求において搬送される暗号化オプション伝送識別子を第１のプリセット値に設定し、データトラフィックスイッチが有効化された状態にあるとき、かつ国際ローミングスイッチが有効化された状態にあるとき、暗号化オプション伝送識別子を第２のプリセット値に設定する。端末が非国際ローミング状態にあるとき、端末は、データトラフィックスイッチが無効化された状態にあるかどうかを決定する必要があり、データトラフィックスイッチが無効化された状態にあるとき、アタッチ要求において搬送される暗号化オプション伝送識別子を第１のプリセット値に設定し、データトラフィックスイッチが有効化された状態にあるとき、暗号化オプション伝送識別子を第２のプリセット値に設定する。
【０１３１】
本発明のこの実施形態においては、暗号化オプション伝送識別子が第１のプリセット値に設定されたとき、たとえば、暗号化オプション伝送識別子が１に設定されたとき、それは、端末により選択されたＡＰＮを使用することによって端末がネットワークアタッチメントを行うことを示す。データスイッチのステータスが有効化された状態にあるとき、暗号化オプション伝送識別子は現行のデフォルト値である。
【０１３２】
データスイッチのステータスが無効化された状態にあるとき、それは、ユーザが端末にネットワークとのデータ領域データ伝送を行ってほしくないことを示すことに留意されたい。したがって、この場合、暗号化オプション伝送識別子が１に設定され、端末は、ネットワークアタッチメントを行うために、ＩＭＳベアラのみを確立するために使用されることができるＡＰＮを選択し、したがって、音声サービスのみが行われ、データサービスが行われないことになる。
【０１３３】
本発明のこの実施形態においては、データスイッチのステータスが無効化された状態であると端末が決定した場合に暗号化オプション伝送識別子が１である例が、説明のために使用される。
【０１３４】
６０２．  端末は、暗号化オプション伝送識別子を搬送するアタッチ要求をＭＭＥに送信する。
【０１３５】
端末は、ｅＮｏｄｅＢを使用することによって、暗号化オプション伝送識別子を搬送するアタッチ要求をＭＭＥに送信する。
【０１３６】
６０３．  ＭＭＥは、端末に認証を行う。
【０１３７】
端末によりＭＭＥに送信されたアタッチ要求は、ＧＵＴＩ（グローバルに固有の一時的識別子）識別子を搬送し、ＭＭＥは、ＧＵＴＩ識別子に従って端末に認証を行う。
【０１３８】
元のネットワークにおけるＭＭＥまたはＳＧＳＮ（サービングＧＰＲＳサポートノード）によって、搬送されたＧＵＴＩ識別子が割り当てられた場合、ＭＭＥは、認証要求を元のネットワークにおけるＭＭＥまたはＳＧＳＮに送信し、元のネットワークにおけるＭＭＥまたはＳＧＳＮは、認証応答を行い、端末に対応するＩＭＳＩ（国際移動体加入者識別子）をＭＭＥに送信することに留意されたい。この場合、元のネットワークにおけるＭＭＥまたはＳＧＳＮの認証が失敗した場合、ＭＭＥは、識別子要求を端末に直接送信してＩＭＳＩを取得する。元のネットワークは、端末がネットワークに今回アタッチされる前に端末がアタッチされたネットワークである。
【０１３９】
さらに、アタッチ要求が整合性保護メッセージでない、または整合性チェックが失敗した場合、ＭＭＥは、端末に対する認証および整合性チェックを行うプロセス中に認証および暗号化手順を実行する。たとえば、ＭＭＥはモビリティ管理識別子をチェックし得る。モビリティ管理識別子が取得される必要があり、端末は、ＭＭＥのためにモビリティ管理識別子を提供する必要がある。
【０１４０】
６０４．  アタッチ要求における暗号化オプション伝送識別子が１であると決定したとき、ＭＭＥは、暗号化オプション要求を端末に送信し、暗号化オプション要求は、アタッチ手順においてベアラを確立するために必要とされるＩＭＳ  ＡＰＮを、端末から取得するために使用される。
【０１４１】
ＭＭＥは、アタッチ要求を使用することによって暗号化オプション伝送識別子を取得し、暗号化オプション伝送識別子により示される異なる値に応じて異なる処理を行う。本発明のこの実施形態においては、暗号化オプション伝送識別子が１であることは、ＭＭＥが、アタッチ手順においてベアラを確立するために必要とされるＩＭＳ  ＡＰＮを、端末から取得する必要があることを示す。アタッチ要求における暗号化オプション伝送識別子が１であると決定したとき、ＭＭＥは、暗号化オプション要求を端末に送信する。暗号化オプション要求は、アタッチ手順においてベアラを確立するために必要とされるＩＭＳ  ＡＰＮを、端末から取得するために使用される。
【０１４２】
６０５．  端末は、ＩＭＳ  ＡＰＮを返して、ＭＭＥがＩＭＳ  ＡＰＮに従って音声ベアラを確立するようにする。
【０１４３】
ステップ６０１においてデータスイッチが無効化された状態にあるときに端末が暗号化オプション伝送識別子を１に設定することは、アタッチ手順においてベアラを確立するために必要とされるＩＭＳ  ＡＰＮがＭＭＥのために提供される必要があることを示す。したがって、ＭＭＥにより送信された暗号化オプション要求を端末が受信したとき、端末はＩＭＳ  ＡＰＮをＭＭＥに返して、ＭＭＥがＩＭＳ  ＡＰＮに従って音声ベアラを確立するようにする。
【０１４４】
従来技術においては、データスイッチまたはローミングデータスイッチが無効化された後、端末は、ネットワークに端末がデータを送信しないようにできるに過ぎず、端末とネットワークの間のデータベアラは依然として存在する。端末は、受信される必要のないデータパケットを受信し、対応する料金が算入され、それにより、データ伝送リソースを浪費するだけでなく、ユーザに経済的損失をもたらすことになる。従来技術と比較して、本発明においては、端末がネットワークにアタッチされているとき、データスイッチのステータスがまず決定される。データスイッチが無効化されたとき、それは、端末がネットワークとのデータ領域データ伝送を行う必要がないことを示す。この場合、端末が、暗号化オプション伝送識別子をプリセット値に設定し、暗号化オプション伝送識別子を搬送するアタッチ要求をＭＭＥに送信し、ＭＭＥは、アタッチ要求を受信した後、アタッチ手順を実行する。アタッチ手順の実行中、暗号化オプション伝送識別子が第１のプリセット値であるので、ＭＭＥは、暗号化オプション要求を端末に送信する必要があり、端末はＩＭＳ  ＡＰＮをＭＭＥに返して、アタッチ手順においてＩＭＳベアラのみを確立する。したがって、端末とネットワークの間でデータベアラが確立されず、そうすることで、端末とネットワークの間でデータ伝送がもはや行われないようにして、データ伝送リソースを浪費すること、および端末のユーザに不必要な損失をもたらすことを回避する。
【０１４５】
加えて、端末がネットワークにアタッチされているとき、端末とネットワークの間でデータベアラおよび音声ベアラが同時に確立されることに留意されたい。データベアラは、端末とネットワークの間のデータ領域データ伝送を行うために使用され、音声ベアラは、端末とネットワークの間の音声領域データ伝送を行うために使用される。従来技術においては、データスイッチが無効化された状態にあるとき、端末は、ネットワークにデータをもはや送信しない、すなわち、端末がネットワークにデータ領域におけるデータをもはや送信しないように制御するだけでなく、端末がネットワークに音声領域におけるデータをもはや送信しないようにする。したがって、端末は、ネットワークにアタッチされることができず、端末の音声サービスの使用が影響を受ける。本発明のこの実施形態においては、端末がネットワークにアタッチされることを開始するとき、データスイッチが無効化された状態にある場合、アタッチ手順において端末とネットワークの間でデータベアラが確立されずに音声ベアラのみが確立され、ネットワークは端末との音声領域データ伝送を行うことができ、端末の音声サービスは正常に使用されることができる。
【０１４６】
６０６．  端末のセッション情報がネットワーク上に存在すると決定したとき、ＭＭＥはセッション情報削除手順を実行する。
【０１４７】
端末のセッション情報がネットワーク上に存在するとＭＭＥが決定したとき、ＭＭＥはセッション削除要求をＳ−ＧＷに送信し、Ｓ−ＧＷはセッション削除要求をＰ−ＧＷに送信し、Ｐ−ＧＷはＰＣＥＦにより開始されたセッション終了手順を送信し、次いでＰ−ＧＷはセッション削除応答をＳ−ＧＷに返し、Ｓ−ＧＷはセッション削除応答をＭＭＥに送信する。
【０１４８】
６０７．  ＭＭＥは、位置更新要求をＨＳＳに送信する。
【０１４９】
６０８．  ＨＳＳは、位置更新確認応答でＭＭＥに応答する。
【０１５０】
ＨＳＳが端末の位置を更新するプロセスにおいて、ＨＳＳが元のネットワークにおけるＭＭＥまたはＳＧＳＮに関する情報を有する場合、ＨＳＳは、位置削除メッセージを、元のネットワークにおけるＭＭＥまたはＳＧＳＮに送信し、元のネットワークにおけるＭＭＥまたはＳＧＳＮは、位置情報を削除した後、位置削除確認応答をＨＳＳに送信する。元のネットワークにおけるＭＭＥまたはＳＧＳＮが依然として端末のセッション情報を有する場合、元のネットワークにおけるＭＭＥまたはＳＧＳＮは、セッション削除要求を対応するＳ−ＧＷに送信し、元のネットワークにおけるＭＭＥまたはＳＧＳＮに対応するＳ−ＧＷは、セッション削除要求を対応するＰ−ＧＷに送信して、Ｐ−ＧＷが、ＰＣＥＦにより開始されたセッション終了手順を送信するようにする。セッションが削除された後、Ｐ−ＧＷは、セッション削除応答をＳ−ＧＷに返し、Ｓ−ＧＷは、セッション削除応答を元のネットワークにおけるＭＭＥまたはＳＧＳＮに送信する。
【０１５１】
６０９．  ＭＭＥは、ＩＭＳ  ＡＰＮに対応するＰ−ＧＷおよびＳ−ＧＷを問い合わせる。
【０１５２】
ＭＭＥは、ＤＮＳ（ドメイン名サーバ）を使用することによって、ＩＭＳ  ＡＰＮに対応するＰ−ＧＷを問い合わせ、ＴＡＩ（トラッキングエリア識別子）を使用することによって、ＩＭＳ  ＡＰＮに対応するＳ−ＧＷを問い合わる。
【０１５３】
６１０．  ＭＭＥ、Ｓ−ＧＷ、Ｐ−ＧＷ、およびＰＣＲＦが、セッション確立手順を実行する。
【０１５４】
ＭＭＥは、セッション作成要求をＳ−ＧＷに送信する。Ｓ−ＧＷは、セッション作成要求を、ＭＭＥにより送信されたＩＭＳ  ＡＰＮに対応するＰ−ＧＷに送信する。Ｐ−ＧＷのＰＣＥＦが、ＩＰ−ＣＡＮセッション確立手順を開始し、ＰＣＲＦが応答する。Ｐ−ＧＷは、セッション作成応答をＳ−ＧＷに送信する。Ｓ−ＧＷは、セッション作成応答をＭＭＥに送信する。
【０１５５】
６１１．  ＭＭＥおよびｅＮｏｄｅＢが端末アタッチ手順を実行する。
【０１５６】
ＭＭＥは、端末に送信されるアタッチ受諾メッセージおよびＳ−ＧＷのユーザプレーン情報を搬送する初期コンテキストセットアップ要求を、ｅＮｏｄｅＢに送信する。ｅＮｏｄｅＢは、ＲＲＣ（無線リソース制御）接続再構成メッセージを端末に送信する。端末は、ＲＲＣ接続再構成完了メッセージによってｅＮｏｄｅＢに応答する。ｅＮｏｄｅＢは、ｅＮｏｄｅＢのユーザプレーン情報を搬送する初期コンテキストセットアップ応答を、ＭＭＥに送信する。端末は、ＭＭＥに送信されるアタッチ完了メッセージを搬送する直接転送メッセージを、ｅＮｏｄｅＢに送信する。ｅＮｏｄｅＢは、アタッチ完了メッセージをＭＭＥに送信する。
【０１５７】
上記の手順は、データスイッチが無効化されたときのネットワークアタッチメントを行うプロセスであることに留意されたい。ステップ６１１が行われた後、端末は、ネットワークを使用することによってＶｏＩＭＳ音声サービスを行うことができる。ユーザがデータ伝送を必要とする、すなわち、端末のデータスイッチが有効化されると、端末は、データベアラ確立要求をＭＭＥに送信して、データベアラ確立手順を実行するようにＭＭＥをトリガーする。データベアラが確立された後、端末はデータサービスを使用することができる。具体的プロセスはステップ５１１から５１３に説明されており、ここでは詳細は再度説明されない。
【０１５８】
本発明の別の実施形態はデータ処理装置７０を提供する。図７に示されるように、装置７０は、
端末のデータスイッチのステータスを検出するように構成された処理ユニット７１であって、ステータスは、無効化された状態または有効化された状態を含む、処理ユニット７１と、
データスイッチのステータスが有効化された状態から無効化された状態に変更された後、公衆データネットワークＰＤＮ切断要求をモビリティ管理エンティティＭＭＥに送信するように構成されたトランシーバユニット７２であって、ＰＤＮ切断要求は、データ領域アクセスポイント名ＡＰＮに対応するデータベアラに関する情報を搬送し、ＰＤＮ切断要求は、ＡＰＮに対応するデータベアラを削除するようにＭＭＥをトリガーするために使用される、トランシーバユニット７２と
を含む。
【０１５９】
さらに、トランシーバユニット７２は、データスイッチのステータスが無効化された状態から有効化された状態に変更された後、ＰＤＮ接続要求をＭＭＥに送信するようにさらに構成され、ＰＤＮ接続要求は、データタイプＡＰＮを搬送して、ＭＭＥがデータタイプＡＰＮに従ってデータベアラを確立するようにする。
【０１６０】
さらに、端末が国際ローミング状態にあるとき、データスイッチは、データトラフィックスイッチおよび国際ローミングスイッチを含み、処理ユニット７１は、データトラフィックスイッチのステータスまたは国際ローミングスイッチのステータスのうちの少なくとも１つを検出するようにさらに構成され、トランシーバユニット７２は、データトラフィックスイッチのステータスが有効化された状態から無効化された状態に変更されたとき、または国際ローミングスイッチのステータスが有効化された状態から無効化された状態に変更されたとき、公衆データネットワークＰＤＮ切断要求をモビリティ管理エンティティＭＭＥに送信するように構成される。
【０１６１】
さらに、トランシーバユニット７２は、データトラフィックスイッチのステータスが無効化された状態から有効化された状態に変更された後、かつ国際ローミングスイッチのステータスが無効化された状態から有効化された状態に変更された後、ＰＤＮ接続要求をＭＭＥに送信するようにさらに構成される。
【０１６２】
さらに、端末が非国際ローミング状態にあるとき、データスイッチは、データトラフィックスイッチを含み、処理ユニット７１は、データトラフィックスイッチのステータスを検出するようにさらに構成され、トランシーバユニット７２は、データトラフィックスイッチのステータスが有効化された状態から無効化された状態に変更された後、公衆データネットワークＰＤＮ切断要求をモビリティ管理エンティティＭＭＥに送信するように構成される。
【０１６３】
さらに、トランシーバユニット７２は、データトラフィックスイッチのステータスが無効化された状態から有効化された状態に変更された後、ＰＤＮ接続要求をＭＭＥに送信するようにさらに構成される。
【０１６４】
従来技術においては、データスイッチまたはローミングデータスイッチが無効化された後、端末は、ネットワークに端末がデータを送信しないようにできるに過ぎず、端末とネットワークの間のデータベアラは依然として存在する。端末は、受信される必要のないデータパケットを受信し、対応する料金が算入され、それにより、データ伝送リソースを浪費するだけでなく、ユーザに経済的損失をもたらすことになる。従来技術と比較して、本発明においては、装置７０がデータスイッチのステータスを検出する。データスイッチが有効化から無効化に変更されたとき、それは、端末がネットワークとのデータ情報伝送を行う必要がないことを示す。この場合、装置７０が、データ領域ＡＰＮに対応するデータベアラに関する情報を搬送するＰＤＮ切断要求をモビリティ管理エンティティＭＭＥに送信するので、ＭＭＥは、ＰＤＮ切断要求を受信した後、ベアラ削除手順を実行する。このようにして、端末とネットワークの間のデータ伝送を行うためのチャネルが削除され、そうすることで、端末とネットワークの間でデータ伝送がもはや行われないようにして、データ伝送リソースを浪費すること、および端末のユーザに不必要な損失をもたらすことを回避する。
【０１６５】
本発明の別の実施形態はデータ処理装置８０を提供する。図８に示されるように、装置８０は、
端末により送信された公衆データネットワークＰＤＮ切断要求を受信するように構成されたトランシーバユニット８１であって、ＰＤＮ切断要求は、データ領域アクセスポイント名ＡＰＮに対応するデータベアラに関する情報を搬送する、トランシーバユニット８１と、
ＰＤＮ切断要求に従って、ＡＰＮに対応するデータベアラを削除するように構成された処理ユニット８２と
を含む。
【０１６６】
さらに、トランシーバユニット８１は、端末により送信されたＰＤＮ接続要求を受信するようにさらに構成され、ＰＤＮ接続要求は、データタイプＡＰＮを搬送する。
【０１６７】
処理ユニット８２は、データタイプＡＰＮに従ってデータベアラを確立するようにさらに構成される。
【０１６８】
従来技術においては、データスイッチまたはローミングデータスイッチが無効化された後、端末は、ネットワークに端末がデータを送信しないようにできるに過ぎず、端末とネットワークの間のデータベアラは依然として存在する。端末は、受信される必要のないデータパケットを受信し、対応する料金が算入され、それにより、データ伝送リソースを浪費するだけでなく、ユーザに経済的損失をもたらすことになる。従来技術と比較して、本発明においては、端末のデータスイッチが有効化から無効化に変更された後、装置８０は、ＰＤＮ切断要求を受信し、次いで、ＰＤＮ切断要求に従ってデータベアラ削除手順を実行して、データ領域ＡＰＮに対応するデータベアラを削除し、すなわち、端末とネットワークの間のデータ伝送を行うためのチャネルを削除し、そうすることで、端末とネットワークの間でデータ領域データ伝送がもはや行われないようにして、データ伝送リソースを浪費すること、および端末のユーザに不必要な損失をもたらすことを回避する。
【０１６９】
本発明の別の実施形態はデータ処理装置９０を提供する。図９に示されるように、装置９０は、
データスイッチのステータスを決定することであって、ステータスは、無効化された状態または有効化された状態を含む、決定することと、データスイッチが無効化された状態にあるとき、アタッチ要求において搬送される暗号化オプション伝送識別子を第１のプリセット値に設定することであって、第１のプリセット値に設定された暗号化オプション伝送識別子は、データスイッチが無効化された状態にあることを示すために使用される、設定することと、データスイッチが有効化された状態にあるとき、暗号化オプション伝送識別子を第２のプリセット値に設定することであって、第２のプリセット値に設定された暗号化オプション伝送識別子は、データスイッチが有効化された状態にあることを示すために使用される、設定することとを行うように構成された処理ユニット９１と、
アタッチ要求をモビリティ管理エンティティＭＭＥに送信することと、ＭＭＥにより送信された暗号化オプション要求を受信することであって、暗号化オプション伝送識別子が第１のプリセット値であることをＭＭＥが検出したとき、暗号化オプション要求が端末に送信され、暗号化オプション要求は、アタッチ手順においてベアラを確立するために必要とされるインターネットプロトコルＩＰマルチメディアサブシステムＩＭＳアクセスポイント名ＡＰＮを、端末から取得するために使用される、受信することと、ＩＭＳ  ＡＰＮをＭＭＥに送信して、ＭＭＥがＩＭＳ  ＡＰＮに従って音声ベアラを確立するようにすることとを行うように構成されたトランシーバユニット９２と
を含む。
【０１７０】
さらに、端末が国際ローミング状態にあるとき、データスイッチは、データトラフィックスイッチおよび国際ローミングスイッチを含み、処理ユニット９１は、データトラフィックスイッチのステータスまたは国際ローミングスイッチのステータスのうちの少なくとも１つを決定し、データトラフィックスイッチが無効化された状態にあるとき、または国際ローミングスイッチが無効化された状態にあるとき、アタッチ要求において搬送される暗号化オプション伝送識別子を第１のプリセット値に設定し、データトラフィックスイッチが有効化された状態にあるとき、かつ国際ローミングスイッチが有効化された状態にあるとき、暗号化オプション伝送識別子を第２のプリセット値に設定するようにさらに構成される。
【０１７１】
さらに、端末が非国際ローミング状態にあるとき、データスイッチは、データトラフィックスイッチを含み、処理ユニット９１は、データトラフィックスイッチのステータスを決定し、データトラフィックスイッチが無効化された状態にあるとき、アタッチ要求において搬送される暗号化オプション伝送識別子を第１のプリセット値に設定し、データトラフィックスイッチが有効化された状態にあるとき、暗号化オプション伝送識別子を第２のプリセット値に設定するようにさらに構成される。
【０１７２】
さらに、トランシーバユニット９２は、ＰＤＮ接続要求をＭＭＥに送信するようにさらに構成され、ＰＤＮ接続要求は、データタイプＡＰＮを搬送して、ＭＭＥがデータタイプＡＰＮに従ってデータベアラを確立するようにする。
【０１７３】
従来技術においては、データスイッチまたはローミングデータスイッチが無効化された後、端末は、ネットワークに端末がデータを送信しないようにできるに過ぎず、端末とネットワークの間のデータベアラは依然として存在する。端末は、受信される必要のないデータパケットを受信し、対応する料金が算入され、それにより、データ伝送リソースを浪費するだけでなく、ユーザに経済的損失をもたらすことになる。従来技術と比較して、本発明においては、装置９０は、最初に、データスイッチが無効化された状態にあるかどうかを決定しデータスイッチが無効化された状態にあるとき、アタッチ要求において搬送される暗号化オプション伝送識別子を、データスイッチが無効化された状態にあることを示すために使用される第１のプリセット値に設定し、データスイッチが有効化された状態にあるとき、暗号化オプション伝送識別子を、データスイッチが有効化された状態にあることを示すために使用される第２のプリセット値に設定し、次いで、アタッチ要求をＭＭＥに送信する。ＭＭＥにより送信された暗号化オプション要求を受信した後、装置９０は、ＩＭＳ  ＡＰＮをＭＭＥに送信して、ＭＭＥが、受信されたＩＭＳ  ＡＰＮに従って音声ベアラを確立するようにする。このようにして、データスイッチが無効化された状態にあるとき、端末は、アタッチ要求において搬送される暗号化オプション伝送識別子を、データスイッチが無効化された状態にあることを示すために使用される第１のプリセット値に設定して、このアタッチ手順においてベアラを確立するために必要とされるＡＰＮがＩＭＳ  ＡＰＮであることを示す。端末からＩＭＳ  ＡＰＮを取得した後、ＭＭＥは音声ベアラを確立する。ベアラを確立するために必要とされるＡＰＮがＩＭＳ  ＡＰＮであり、ＭＭＥはＩＭＳ  ＡＰＮを使用することによってデータベアラを確立することができないので、端末とネットワークの間のデータ伝送を行うためのチャネルが確立されることができず、そうすることで、端末とネットワークの間でデータ領域データ伝送が行われないようにして、データ伝送リソースを浪費すること、および端末のユーザに不必要な損失をもたらすことを回避する。
【０１７４】
本発明の別の実施形態はデータ処理装置１００を提供する。図１０に示されるように、装置１００は、
端末により送信されたアタッチ要求を受信することであって、アタッチ要求は、暗号化オプション伝送識別子を搬送し、アタッチ手順を実行するようにＭＭＥをトリガーするために使用され、端末のデータスイッチが無効化された状態にあるとき、暗号化オプション伝送識別子は第１のプリセット値であり、端末のデータスイッチが有効化された状態にあるとき、暗号化オプション伝送識別子は第２のプリセット値である、受信することと、暗号化オプション伝送識別子が第１のプリセット値であることをＭＭＥが検出したとき、暗号化オプション要求を端末に送信することであって、暗号化オプション要求は、アタッチ手順においてベアラを確立するために必要とされるインターネットプロトコルＩＰマルチメディアサブシステムＩＭＳアクセスポイント名ＡＰＮを、端末から取得するために使用される、送信することと、端末により送信されたＩＭＳ  ＡＰＮを受信することとを行うように構成されたトランシーバユニット１２０と、
ＩＭＳ  ＡＰＮに従って音声ベアラを確立することを行うように構成された処理ユニット１１０と
を含む。
【０１７５】
さらに、トランシーバユニット１２０は、端末により送信されたＰＤＮ接続要求を受信するようにさらに構成され、ＰＤＮ接続要求は、データタイプＡＰＮを搬送する。
【０１７６】
処理ユニット１１０は、データタイプＡＰＮに従ってデータベアラを確立するようにさらに構成される。
【０１７７】
従来技術においては、データスイッチまたはローミングデータスイッチが無効化された後、端末は、ネットワークに端末がデータを送信しないようにできるに過ぎず、端末とネットワークの間のデータベアラは依然として存在する。端末は、受信される必要のないデータパケットを受信し、対応する料金が算入され、それにより、データ伝送リソースを浪費するだけでなく、ユーザに経済的損失をもたらすことになる。従来技術と比較して、本発明においては、暗号化オプション伝送識別子を搬送し端末により送信されたアタッチ要求を受信した後、装置１００は、暗号化オプション伝送識別子の値を検出し、暗号化オプション伝送識別子が第１のプリセット値であるとき、暗号化オプション要求を端末に送信して、アタッチ手順においてベアラを確立するために必要とされるＩＭＳ  ＡＰＮを、端末から取得する。端末により送信されたＩＭＳ  ＡＰＮを受信した後、ＭＭＥは、受信されたＩＭＳ  ＡＰＮに従って音声ベアラを確立する。このようにして、アタッチ要求において搬送される暗号化オプション伝送識別子が、データスイッチが無効化された状態にあることを示すために使用される第１のプリセット値に設定された後、装置１００は、端末からＩＭＳ  ＡＰＮを取得し、音声ベアラを確立する。ベアラを確立するために必要とされるＡＰＮがＩＭＳ  ＡＰＮであり、装置１００はＩＭＳ  ＡＰＮを使用することによってデータベアラを確立することができないので、端末とネットワークの間のデータ伝送を行うためのチャネルが確立されることができず、そうすることで、端末とネットワークの間でデータ領域データ伝送が行われないようにして、データ伝送リソースを浪費すること、および端末のユーザに不必要な損失をもたらすことを回避する。
【０１７８】
本発明の別の実施形態はデータ処理端末２００を提供する。図１１に示されるように、端末２００は、
端末のデータスイッチのステータスを検出するように構成されたプロセッサ２１０であって、ステータスは、無効化された状態または有効化された状態を含む、プロセッサ２１０と、
データスイッチのステータスが有効化された状態から無効化された状態に変更された後、公衆データネットワークＰＤＮ切断要求をモビリティ管理エンティティＭＭＥに送信するように構成されたトランシーバ２２０であって、ＰＤＮ切断要求は、データ領域アクセスポイント名ＡＰＮに対応するデータベアラに関する情報を搬送し、ＰＤＮ切断要求は、ＡＰＮに対応するデータベアラを削除するようにＭＭＥをトリガーするために使用される、トランシーバ２２０と
を含む。
【０１７９】
さらに、トランシーバ２２０は、データスイッチのステータスが無効化された状態から有効化された状態に変更された後、ＰＤＮ接続要求をＭＭＥに送信するようにさらに構成され、ＰＤＮ接続要求は、データタイプＡＰＮを搬送して、ＭＭＥがデータタイプＡＰＮに従ってデータベアラを確立するようにする。
【０１８０】
さらに、端末が国際ローミング状態にあるとき、データスイッチは、データトラフィックスイッチおよび国際ローミングスイッチを含み、プロセッサ２１０は、データトラフィックスイッチのステータスまたは国際ローミングスイッチのステータスのうちの少なくとも１つを検出するようにさらに構成され、トランシーバ２２０は、データトラフィックスイッチのステータスが有効化された状態から無効化された状態に変更された後、または国際ローミングスイッチのステータスが有効化された状態から無効化された状態に変更された後、公衆データネットワークＰＤＮ切断要求をモビリティ管理エンティティＭＭＥに送信するように構成される。
【０１８１】
さらに、トランシーバ２２０は、データトラフィックスイッチのステータスが無効化された状態から有効化された状態に変更された後、かつ国際ローミングスイッチのステータスが無効化された状態から有効化された状態に変更された後、ＰＤＮ接続要求をＭＭＥに送信するように構成される。
【０１８２】
さらに、端末が非国際ローミング状態にあるとき、データスイッチは、データトラフィックスイッチを含み、プロセッサ２１０は、データトラフィックスイッチのステータスを検出するようにさらに構成され、トランシーバ２２０は、データトラフィックスイッチのステータスが有効化された状態から無効化された状態に変更された後、公衆データネットワークＰＤＮ切断要求をモビリティ管理エンティティＭＭＥに送信するように構成される。
【０１８３】
さらに、トランシーバ２２０は、データトラフィックスイッチのステータスが無効化された状態から有効化された状態に変更された後、ＰＤＮ接続要求をＭＭＥに送信するように構成される。
【０１８４】
従来技術においては、データスイッチまたはローミングデータスイッチが無効化された後、端末は、ネットワークに端末がデータを送信しないようにできるに過ぎず、端末とネットワークの間のデータベアラは依然として存在する。端末は、受信される必要のないデータパケットを受信し、対応する料金が算入され、それにより、データ伝送リソースを浪費するだけでなく、ユーザに経済的損失をもたらすことになる。従来技術と比較して、本発明においては、端末２００がデータスイッチのステータスを検出する。データスイッチが有効化から無効化に変更されたとき、それは、端末２００がネットワークとのデータ情報伝送を行う必要がないことを示す。この場合、端末が、データ領域ＡＰＮに対応するデータベアラに関する情報を搬送するＰＤＮ切断要求を、モビリティ管理エンティティＭＭＥに送信するので、ＭＭＥは、ＰＤＮ切断要求を受信した後、ベアラ削除手順を実行する。このようにして、端末２００とネットワークの間のデータ伝送を行うためのチャネルが削除され、そうすることで、端末とネットワークの間でデータ伝送がもはや行われないようにして、データ伝送リソースを浪費すること、および端末２００のユーザに不必要な損失をもたらすことを回避する。
【０１８５】
本発明の別の実施形態は、データ処理モビリティ管理エンティティ３００を提供する。図１２に示されるように、モビリティ管理エンティティ３００は、
端末により送信された公衆データネットワークＰＤＮ切断要求を受信するように構成されたトランシーバ３２０であって、ＰＤＮ切断要求は、データ領域アクセスポイント名ＡＰＮに対応するデータベアラに関する情報を搬送する、トランシーバ３２０と、
ＰＤＮ切断要求に従って、ＡＰＮに対応するデータベアラを削除するように構成されたプロセッサ３１０と
を含む。
【０１８６】
さらに、トランシーバ３２０は、端末により送信されたＰＤＮ接続要求を受信するようにさらに構成され、ＰＤＮ接続要求は、データタイプＡＰＮを搬送し、プロセッサは、データタイプＡＰＮに従ってデータベアラを確立するようにさらに構成される。
【０１８７】
従来技術においては、データスイッチまたはローミングデータスイッチが無効化された後、端末は、ネットワークに端末がデータを送信しないようにできるに過ぎず、端末とネットワークの間のデータベアラは依然として存在する。端末は、受信される必要のないデータパケットを受信し、対応する料金が算入され、それにより、データ伝送リソースを浪費するだけでなく、ユーザに経済的損失をもたらすことになる。従来技術と比較して、本発明においては、端末のデータスイッチが有効化から無効化に変更された後、ＭＭＥ３００は、ＰＤＮ切断要求を受信し、次いで、ＰＤＮ切断要求に従ってデータベアラ削除手順を実行して、データ領域ＡＰＮに対応するデータベアラを削除し、すなわち、端末とネットワークの間のデータ伝送を行うためのチャネルを削除し、そうすることで、端末とネットワークの間でデータ領域データ伝送がもはや行われないようにして、データ伝送リソースを浪費すること、および端末のユーザに不必要な損失をもたらすことを回避する。
【０１８８】
本発明の別の実施形態はデータ処理端末４００を提供する。図１３に示されるように、端末４００は、
データスイッチのステータスを決定することであって、ステータスは、無効化された状態または有効化された状態を含む、決定することと、データスイッチが無効化された状態にあるとき、アタッチ要求において搬送される暗号化オプション伝送識別子を第１のプリセット値に設定することであって、第１のプリセット値に設定された暗号化オプション伝送識別子は、データスイッチが無効化された状態にあることを示すために使用される、設定することと、データスイッチが有効化された状態にあるとき、暗号化オプション伝送識別子を第２のプリセット値に設定することであって、第２のプリセット値に設定された暗号化オプション伝送識別子は、データスイッチが有効化された状態にあることを示すために使用される、設定することとを行うように構成されたプロセッサ４１０と、
アタッチ要求をモビリティ管理エンティティＭＭＥに送信することと、ＭＭＥにより送信された暗号化オプション要求を受信することであって、暗号化オプション伝送識別子が第１のプリセット値であることをＭＭＥが検出したとき、暗号化オプション要求が端末に送信され、暗号化オプション要求は、アタッチ手順においてベアラを確立するために必要とされるインターネットプロトコルＩＰマルチメディアサブシステムＩＭＳアクセスポイント名ＡＰＮを、端末から取得するために使用される、受信することと、ＩＭＳ  ＡＰＮをＭＭＥに送信して、ＭＭＥがＩＭＳ  ＡＰＮに従って音声ベアラを確立するようにすることとを行うように構成されたトランシーバ４２０と
を含む。
【０１８９】
さらに、端末が国際ローミング状態にあるとき、データスイッチは、データトラフィックスイッチおよび国際ローミングスイッチを含み、プロセッサ４１０は、データトラフィックスイッチのステータスまたは国際ローミングスイッチのステータスのうちの少なくとも１つを決定し、データトラフィックスイッチが無効化された状態にあるとき、または国際ローミングスイッチが無効化された状態にあるとき、アタッチ要求において搬送される暗号化オプション伝送識別子を第１のプリセット値に設定し、データトラフィックスイッチが有効化された状態にあるとき、かつ国際ローミングスイッチが有効化された状態にあるとき、暗号化オプション伝送識別子を第２のプリセット値に設定するようにさらに構成される。
【０１９０】
さらに、端末が非国際ローミング状態にあるとき、データスイッチは、データトラフィックスイッチを含み、プロセッサ４１０は、データトラフィックスイッチのステータスを決定し、データトラフィックスイッチが無効化された状態にあるとき、アタッチ要求において搬送される暗号化オプション伝送識別子を第１のプリセット値に設定し、データトラフィックスイッチが有効化された状態にあるとき、暗号化オプション伝送識別子を第２のプリセット値に設定するようにさらに構成される。
【０１９１】
さらに、トランシーバ４２０は、ＰＤＮ接続要求をＭＭＥに送信するようにさらに構成され、ＰＤＮ接続要求は、データタイプＡＰＮを搬送して、ＭＭＥがデータタイプＡＰＮに従ってデータベアラを確立するようにする。
【０１９２】
従来技術においては、データスイッチまたはローミングデータスイッチが無効化された後、端末は、ネットワークに端末がデータを送信しないようにできるに過ぎず、端末とネットワークの間のデータベアラは依然として存在する。端末は、受信される必要のないデータパケットを受信し、対応する料金が算入され、それにより、データ伝送リソースを浪費するだけでなく、ユーザに経済的損失をもたらすことになる。従来技術と比較して、本発明においては、ａ  端末４００は、最初に、データスイッチが無効化された状態にあるかどうかを決定し、データスイッチが無効化された状態にあるとき、アタッチ要求において搬送される暗号化オプション伝送識別子を、データスイッチが無効化された状態にあることを示すために使用される第１のプリセット値に設定し、データスイッチが有効化された状態にあるとき、暗号化オプション伝送識別子を、データスイッチが有効化された状態にあることを示すために使用される第２のプリセット値に設定し、次いで、アタッチ要求をＭＭＥに送信する。ＭＭＥにより送信された暗号化オプション要求を受信した後、端末４００は、ＩＭＳ  ＡＰＮをＭＭＥに送信して、ＭＭＥが、受信されたＩＭＳ  ＡＰＮに従って音声ベアラを確立するようにする。このようにして、データスイッチが無効化された状態にあるとき、端末４００は、アタッチ要求において搬送される暗号化オプション伝送識別子を、データスイッチが無効化された状態にあることを示すために使用される第１のプリセット値に設定して、このアタッチ手順においてベアラを確立するために必要とされるＡＰＮがＩＭＳ  ＡＰＮであることを示す。端末４００からＩＭＳ  ＡＰＮを取得した後、ＭＭＥは音声ベアラを確立する。ベアラを確立するために必要とされるＡＰＮがＩＭＳ  ＡＰＮであり、ＭＭＥはＩＭＳ  ＡＰＮを使用することによってデータベアラを確立することができないので、端末４００とネットワークの間のデータ伝送を行うためのチャネルが確立されることができず、そうすることで、端末とネットワークの間でデータ領域データ伝送が行われないようにして、データ伝送リソースを浪費すること、および端末４００のユーザに不必要な損失をもたらすことを回避する。
【０１９３】
本発明の別の実施形態は、データ処理モビリティ管理エンティティ５００を提供する。図１４に示されるように、モビリティ管理エンティティ５００は、
端末により送信されたアタッチ要求を受信することであって、アタッチ要求は、暗号化オプション伝送識別子を搬送し、端末のデータスイッチが無効化された状態にあるとき、暗号化オプション伝送識別子は第１のプリセット値であり、端末のデータスイッチが有効化された状態にあるとき、暗号化オプション伝送識別子は第２のプリセット値である、受信することと、暗号化オプション伝送識別子が第１のプリセット値であることをＭＭＥが検出したとき、暗号化オプション要求を端末に送信することであって、暗号化オプション要求は、アタッチ手順においてベアラを確立するために必要とされるインターネットプロトコルＩＰマルチメディアサブシステムＩＭＳアクセスポイント名ＡＰＮを、端末から取得するために使用される、送信することと、端末により送信されたＩＭＳ  ＡＰＮを受信することとを行うように構成されたトランシーバ５１０と、
ＩＭＳ  ＡＰＮに従って音声ベアラを確立することを行うように構成されたプロセッサ５２０と
を含む。
【０１９４】
さらに、トランシーバ５１０は、端末により送信されたＰＤＮ接続要求を受信するようにさらに構成され、ＰＤＮ接続要求は、データタイプＡＰＮを搬送する。
【０１９５】
プロセッサ５２０は、データタイプＡＰＮに従ってデータベアラを確立するようにさらに構成される。
【０１９６】
従来技術においては、データスイッチまたはローミングデータスイッチが無効化された後、端末は、ネットワークに端末がデータを送信しないようにできるに過ぎず、端末とネットワークの間のデータベアラは依然として存在する。端末は、受信される必要のないデータパケットを受信し、対応する料金が算入され、それにより、データ伝送リソースを浪費するだけでなく、ユーザに経済的損失をもたらすことになる。従来技術と比較して、本発明においては、暗号化オプション伝送識別子を搬送し端末により送信されたアタッチ要求を受信した後、ＭＭＥ５００は、暗号化オプション伝送識別子の値を検出し、暗号化オプション伝送識別子が第１のプリセット値であるとき、暗号化オプション要求を端末に送信して、アタッチ手順においてベアラを確立するために必要とされるＩＭＳ  ＡＰＮを、端末から取得する。端末により送信されたＩＭＳ  ＡＰＮを受信した後、ＭＭＥは、受信されたＩＭＳ  ＡＰＮに従って音声ベアラを確立する。このようにして、アタッチ要求において搬送される暗号化オプション伝送識別子が、データスイッチが無効化された状態にあることを示すために使用される第１のプリセット値に設定された後、ＭＭＥ５００は、端末からＩＭＳ  ＡＰＮを取得し、音声ベアラを確立する。ベアラを確立するために必要とされるＡＰＮがＩＭＳ  ＡＰＮであり、ＭＭＥ５００はＩＭＳ  ＡＰＮを使用することによってデータベアラを確立することができないので、端末とネットワークの間のデータ伝送を行うためのチャネルが確立されることができず、そうすることで、端末とネットワークの間でデータ領域データ伝送が行われないようにして、データ伝送リソースを浪費すること、および端末のユーザに不必要な損失をもたらすことを回避する。
【０１９７】
本発明の別の実施形態は、データ処理システム６００を提供する。図１５に示されるように、システム６００は、端末２００およびモビリティ管理エンティティ３００を含む。
【０１９８】
本発明の別の実施形態は、データ処理システム７００を提供する。図１６に示されるように、システム７００は、端末４００およびモビリティ管理エンティティ５００を含む。
【０１９９】
本発明の実施形態において提供されたデータ処理装置は、上記の提供された方法実施形態を実装し得る。具体的な機能実装については、方法実施形態における説明を参照されたい。詳細は、ここでは再度説明されない。本発明の実施形態において提供された端末データ処理方法、装置、端末、モビリティ管理エンティティ、およびシステムは、端末およびＭＭＥを含むシステムに適用され得る。これは本明細書に限定されない。
【０２００】
本明細書における実施形態はすべて段階的手法で説明されており、同一または類似の部分については、これらの実施形態が参照されてよく、各実施形態は他の実施形態との差異に焦点を当てている。特に、デバイス実施形態は方法実施形態に基本的に類似するので簡単に説明されており、関係付けられた部分については方法実施形態における部分の説明を参照されたい。
【０２０１】
当業者は、実施形態における方法のプロセスの全部または一部が、関連するハードウェアに命令するコンピュータプログラムによって実装され得ることを理解し得る。プログラムは、コンピュータ可読記憶媒体に記憶され得る。プログラムが動作するとき、実施形態における方法の手順が実行される。上記の記憶媒体は、磁気ディスク、光ディスク、読み出し専用メモリ（Ｒｅａｄ−Ｏｎｌｙ  Ｍｅｍｏｒｙ、ＲＯＭ）、またはランダムアクセスメモリ（Ｒａｎｄｏｍ  Ａｃｃｅｓｓ  Ｍｅｍｏｒｙ、ＲＡＭ）などであり得る。
【０２０２】
上記の説明は、本発明の特定の実施形態に過ぎず本発明の保護範囲を限定することは意図されていない。本発明において開示される技術的範囲内で当業者に容易に想到されるいかなる変形または置換も、本発明の保護範囲内に入るものとする。したがって、本発明の保護範囲は、特許請求の範囲の保護範囲に従うものとする。
【図１】
0006446546.tif 000002
【図２】
0006446546.tif 000003
【図３】
0006446546.tif 000004
【図４】
0006446546.tif 000005
【図５】
0006446546.tif 000006
【図６Ａ】
0006446546.tif 000007
【図６Ｂ】
0006446546.tif 000008
【図７】
0006446546.tif 000009
【図８】
0006446546.tif 000010
【図９】
0006446546.tif 000011
【図１０】
0006446546.tif 000012
【図１１】
0006446546.tif 000013
【図１２】
0006446546.tif 000014
【図１３】
0006446546.tif 000015
【図１４】
0006446546.tif 000016
【図１５】
0006446546.tif 000017
【図１６】
0006446546.tif 000018